(57)【特許請求の範囲】
【請求項１】
ＴＶＢＤ（ＴｅｌｅＶｉｓｉｏｎ  Ｂａｎｄ  Ｄｅｖｉｃｅ）ネットワーク又はデバイスの動作の方法であって、前記方法は、
前記ＴＶＢＤネットワーク又はデバイスが前記ＴＶＢＤネットワーク又はデバイスのサービスタイプを変更することを試みるときに、前記ＴＶＢＤネットワーク又はデバイスにより、サービスタイプ変更要請に関する情報を送信することと、
前記ＴＶＢＤネットワーク又はデバイスにより、前記サービスタイプ変更要請に応答して、サービスタイプ変更応答に関する情報を受信することと
を含み、
前記サービスタイプ変更要請は、情報サービスから管理サービスへの切替を要請するためのメッセージであり、
前記ＴＶＢＤネットワーク又はデバイスが前記情報サービスに加入しているときには、前記ＴＶＢＤネットワーク又はデバイスは、データベースから、可用チャネルリストを受信し、前記ＴＶＢＤネットワーク又はデバイスの動作チャネルを決定し、
前記ＴＶＢＤネットワーク又はデバイスが前記管理サービスに加入しているときには、前記ＴＶＢＤネットワーク又はデバイスは、共存マネジャー（ＣＭ）から、前記ＴＶＢＤネットワーク又はデバイスの決定された動作チャネルを受信する、方法。
【請求項２】
前記ＣＭにより決定される動作チャネルが、前記共存マネジャーからのネイバーＴＶＢＤネットワーク又はデバイスに割り当てられたチャネルと重複しないチャネルであることをさらに含む、請求項１に記載の方法。
【請求項３】
ＴＶＢＤ（ＴｅｌｅＶｉｓｉｏｎ  Ｂａｎｄ  Ｄｅｖｉｃｅ）ネットワーク又はデバイスであって、前記ＴＶＢＤネットワーク又はデバイスは、送受信部と、コントローラとを備え、
前記コントローラは、
前記ＴＶＢＤネットワーク又はデバイスが前記ＴＶＢＤネットワーク又はデバイスのサービスタイプを変更することを試みるときに、サービスタイプ変更要請に関する情報を送信することと、
前記サービスタイプ変更要請に応答して、サービスタイプ変更応答に関する情報を受信することと
を実行するように構成され、
前記サービスタイプ変更要請は、情報サービスから管理サービスへの切替を要請するためのメッセージであり、
前記ＴＶＢＤネットワーク又はデバイスが前記情報サービスに加入しているときには、前記ＴＶＢＤネットワーク又はデバイスは、データベースから、可用チャネルリストを受信し、前記ＴＶＢＤネットワーク又はデバイスの動作チャネルを決定し、
前記ＴＶＢＤネットワーク又はデバイスが前記管理サービスに加入しているときには、前記ＴＶＢＤネットワーク又はデバイスは、共存マネジャー（ＣＭ）から、前記ＴＶＢＤネットワーク又はデバイスの決定された動作チャネルを受信する、ＴＶＢＤネットワーク又はデバイス。
【請求項４】
前記ＣＭにより決定される動作チャネルは、前記共存マネジャーからのネイバーＴＶＢＤネットワーク又はデバイスに割り当てられたチャネルと重複しないチャネルである、請求項３に記載のＴＶＢＤネットワーク又はデバイス。
【発明の詳細な説明】
【技術分野】
【０００１】
本明細書は、ネットワーク又はデバイス及びそのネイバー発見方法に関する。
【背景技術】
【０００２】
従来、新しいサービスのために周波数を配分したり、新しい事業者に周波数を配分したりすることが政府の主導の下に行われてきた。
【０００３】
特に、新規の事業者がある場合は、新しい周波数を競売などにより割り当てたり、既存の周波数を既存の事業者から回収して他の事業者に再配置することによって、限定されたリソースである周波数を配分してきた。
【０００４】
しかしながら、近年、開放型端末プラットホーム、アップストア、モバイルＶｏＩＰなど、様々な無線インターネットベースのアプリケーションの拡散により、無線データトラフィック需要が爆発的に増加する中、このような政府主導による周波数配分は極めて非効率的であるだけでなく、根本的に周波数分配表上で新規の周波数を確保するのが次第に難しくなってきた。
【０００５】
特に、放送及び通信システムの急速な成長に伴い、次世代通信システムは様々なネットワークの融合形態で設計されている。そのため、システムが益々複雑になり、且つ相互連動の必要性も次第に拡大されている。また、通信技術及びサービスが発展するに従って周波数リソースの使用頻度も増加し、優れた通信技術及びサービスの提供のために固定的に特定の周波数帯域を占有していることから、周波数枯渇の問題は深刻な現況に至っている。
【０００６】
最近、このような問題を解決し得る方案として周波数共有方式が注目を受けている。これは、現在の周波数不足現象が既存の仕切り式周波数管理方式に起因したもので、周波数分配表上では周波数が不足しているように見えるが、共有方式の採用により周波数不足問題が解決できるという観点から出発したものである。
【０００７】
このような周波数リソースの枯渇が世界的に重要な問題として認識されていることから、米国ＦＣＣ（Ｆｅｄｅｒａｌ  Ｃｏｍｍｕｎｉｃａｔｉｏｎｓ  Ｃｏｍｍｉｓｓｉｏｎ）は、２００８年１１月に、スペクトラム使用効率を上げ、新しいサービス事業を容易にするべく、ＴＶ遊休周波数（Ｗｈｉｔｅ  ｓｐａｃｅ）に対して、周波数共有技術である認知無線（Ｃｏｇｎｉｔｉｖｅ  Ｒａｄｉｏ）技術を適用すると決め、関連規定を改正した。
【０００８】
このような動きは拡大の一路をたどり、２００９年には英国が、ＴＶ放送帯域のうち、空間的に使用しない帯域、すなわち、ホワイトスペース帯域で認知無線（ＣＲ）ベースの周波数共有技術の使用を許容したし、ＥＵも現在、導入方案を検討しており、韓国でもホワイトスペース帯域を用いた周波数共有政策のための準備が行われている。
【０００９】
認知無線技術とは、通信装置が自分で通信環境を観察し、最適の通信のための動作方式を判断して選択し、過去の通信経験から将来の判断過程に対する計画を建てるシステムのことを指す。すなわち、無免許帯域（Ｕｎｌｉｃｅｎｓｅｄ  ｂａｎｄ）に割り当てられている周波数帯域のうち、その活用度が低いか、或いは時／空間的に使われない遊休リソース（Ｓｐｅｃｔｒｕｍ  ｈｏｌｅ、Ｗｈｉｔｅｓｐａｃｅ）を見出して、適応的（Ａｄａｐｔｉｖｅ）に且つ合理的（Ｏｐｐｏｒｔｕｎｉｓｔｉｃ）に利用する技術である。このとき、該当の帯域に利用権限（Ｌｉｃｅｎｓｅ）を持っている主使用者（Ｐｒｉｍａｒｙ  ｕｓｅｒ）が発見されると、直ちに該当の帯域の使用を中止したり伝送電力を調節して、主使用者に被害をかけないように動作しなければならない。
【発明の概要】
【発明が解決しようとする課題】
【００１０】
したがって、本明細書で提示される実施例は、上記問題点を解決することを目的とする。言い換えると、本明細書の一実施例は、実質的に干渉関係にあるネットワーク又はデバイスを発見し、実質的な干渉関係を考慮して、ネットワーク又はデバイスが效率的に共存できるようにリソースを管理することに関する。
【課題を解決するための手段】
【００１１】
上記目的を達成するために、本発明の一実施例によれば、ＴＶバンドネットワーク又はデバイスが共存（Ｃｏｅｘｉｓｔｅｎｃｅ）し得るようにリソースを管理する方法が提供される。
【００１２】
本明細書に開示された一実施例に係るＴＶＢＤ（ＴｅｌｅＶｉｓｉｏｎ  Ｂａｎｄ  Ｄｅｖｉｃｅ）ネットワーク又はデバイスのネイバー発見方法は、前記ＴＶＢＤネットワーク又はデバイスをサービスする共存マネジャーに要請を送信するステップと、前記要請に応答して、前記ＴＶＢＤネットワーク又はデバイスのネイバー情報を受信するステップと、具備し、前記ネイバー情報は、前記ＴＶＢＤネットワーク又はデバイスと干渉関係にあるネイバーＴＶＢＤネットワーク又はデバイスの識別子を含み、前記ネイバー情報は、前記ＴＶＢＤネットワーク又はデバイス及び前記ネイバーＴＶＢＤネットワーク又はデバイスの運用チャネル（ｏｐｅｒａｔｉｎｇ  ｃｈａｎｎｅｌｓ）に基づくものであることを特徴とする。
【００１３】
一実施例において、前記ネイバー情報は、前記ＴＶＢＤネットワーク又はデバイスの干渉レベル（ｉｎｔｅｒｆｅｒｅｎｃｅ  ｌｅｖｅｌ）にさらに基づくものであることを特徴とする。
【００１４】
また、一実施例において、前記ネイバー情報は、前記ＴＶＢＤネットワーク又はデバイスの測定結果（ｍｅａｓｕｒｅｍｅｎｔ  ｒｅｓｕｌｔｓ）に基づくものであることを特徴とする。
【００１５】
また、一実施例において、前記ネイバー情報は、前記共存マネジャーが、必要な場合に、サーバー又は他の共存マネジャーから獲得することを特徴とする。
【００１６】
また、一実施例において、前記ＴＶＢＤネットワーク又はデバイスと前記ネイバーＴＶＢＤネットワーク又はデバイスとが、異種のネットワーク技術を用いることを特徴とする。
【００１７】
また、一実施例において、前記ネイバー発見方法は、前記共存マネジャーから、前記ネイバーＴＶＢＤネットワーク又はデバイスに割り当てられたチャネルと重複しない（ｎｏｎ−ｏｖｅｒｌａｐｐｅｄ）少なくとも一つのチャネルに関する情報を受信するステップ、をさらに具備することを特徴とする。
【００１８】
また、一実施例において、前記送信するステップは、前記ＴＶＢＤネットワーク又はデバイスから共存のための情報を要請して獲得する共存イネーブラ（ｃｏｅｘｉｓｔｅｎｃｅ  ｅｎａｂｌｅｒ）を介して前記要請を送信するステップであり、前記受信するステップは、前記共存イネーブラを介して前記ネイバー情報を受信するステップであることを特徴とする。
【００１９】
一方、本明細書に開示された他の実施例に係るＴＶＢＤ（ＴｅｌｅＶｉｓｉｏｎ  Ｂａｎｄ  Ｄｅｖｉｃｅ）ネットワーク又はデバイスは、送受信部と、前記送受信部が、前記ＴＶＢＤネットワーク又はデバイスをサービスする共存マネジャーに要請を送信し、前記要請に応答して、前記ＴＶＢＤネットワーク又はデバイスのネイバー情報を受信するように制御するコントローラと、を備え、前記ネイバー情報は、前記ＴＶＢＤネットワーク又はデバイスと干渉関係にあるネイバーＴＶＢＤネットワーク又はデバイスの識別子を含み、前記ネイバー情報は、前記ＴＶＢＤネットワーク又はデバイス及び前記ネイバーＴＶＢＤネットワーク又はデバイスの運用チャネル（ｏｐｅｒａｔｉｎｇ  ｃｈａｎｎｅｌｓ）に基づくものであることを特徴とする。
【００２０】
一実施例において、前記ネイバー情報は、前記ＴＶＢＤネットワーク又はデバイスの干渉レベル（ｉｎｔｅｒｆｅｒｅｎｃｅ  ｌｅｖｅｌ）にさらに基づくものであることを特徴とする。
【００２１】
また、一実施例において、前記ネイバー情報は、前記ＴＶＢＤネットワーク又はデバイスの測定結果（ｍｅａｓｕｒｅｍｅｎｔ  ｒｅｓｕｌｔｓ）に基づくものであることを特徴とする。
【００２２】
また、一実施例において、前記ネイバー情報は、前記共存マネジャーが、必要な場合に、サーバー又は他の共存マネジャーから獲得することを特徴とする。
【００２３】
また、一実施例において、前記ＴＶＢＤネットワーク又はデバイスと前記ネイバーＴＶＢＤネットワーク又はデバイスとが、異種のネットワーク技術を用いることを特徴とする。
【００２４】
また、一実施例において、前記コントローラは、前記送受信部が、前記共存マネジャーから、前記ネイバーＴＶＢＤネットワーク又はデバイスに割り当てられたチャネルと重複しない（ｎｏｎ−ｏｖｅｒｌａｐｐｅｄ）少なくとも一つのチャネルに関する情報を受信するように制御することを特徴とする。
【００２５】
また、一実施例において、前記送受信部は、前記ＴＶＢＤネットワーク又はデバイスから共存のための情報を要請して獲得する共存イネーブラ（ｃｏｅｘｉｓｔｅｎｃｅ  ｅｎａｂｌｅｒ）を介して前記要請を送信し、前記共存イネーブラを介して前記ネイバー情報を受信することを特徴とする。
本明細書は、例えば、以下の項目も提供する。
（項目１）
ＴＶＢＤ（ＴｅｌｅＶｉｓｉｏｎ  Ｂａｎｄ  Ｄｅｖｉｃｅ）ネットワーク又はデバイスのネイバー発見方法であって、
前記ＴＶＢＤネットワーク又はデバイスをサービスする共存マネジャーに要請を送信することと、
前記要請に応答して、前記ＴＶＢＤネットワーク又はデバイスのネイバー情報を受信することと、
を具備し、
前記ネイバー情報は、前記ＴＶＢＤネットワーク又はデバイスと干渉関係にあるネイバーＴＶＢＤネットワーク又はデバイスの識別子を含み、
前記ネイバー情報は、前記ＴＶＢＤネットワーク又はデバイス及び前記ネイバーＴＶＢＤネットワーク又はデバイスの運用チャネル（ｏｐｅｒａｔｉｎｇ  ｃｈａｎｎｅｌｓ）に基づくものであることを特徴とする、ＴＶＢＤネットワーク又はデバイスのネイバー発見方法。
（項目２）
前記ネイバー情報は、前記ＴＶＢＤネットワーク又はデバイスの干渉レベル（ｉｎｔｅｒｆｅｒｅｎｃｅ  ｌｅｖｅｌ）にさらに基づくものであることを特徴とする、項目１に記載のＴＶＢＤネットワーク又はデバイスのネイバー発見方法。
（項目３）
前記ネイバー情報は、前記ＴＶＢＤネットワーク又はデバイスの測定結果（ｍｅａｓｕｒｅｍｅｎｔ  ｒｅｓｕｌｔｓ）に基づくものであることを特徴とする、項目１に記載のＴＶＢＤネットワーク又はデバイスのネイバー発見方法。
（項目４）
前記ネイバー情報は、前記共存マネジャーが、必要な場合に、サーバー又は他の共存マネジャーから獲得することを特徴とする、項目１に記載のＴＶＢＤネットワーク又はデバイスのネイバー発見方法。
（項目５）
前記ＴＶＢＤネットワーク又はデバイスと前記ネイバーＴＶＢＤネットワーク又はデバイスとが、異種のネットワーク技術を用いることを特徴とする、項目１に記載のＴＶＢＤネットワーク又はデバイスのネイバー発見方法。
（項目６）
前記共存マネジャーから、前記ネイバーＴＶＢＤネットワーク又はデバイスに割り当てられたチャネルと重複しない（ｎｏｎ−ｏｖｅｒｌａｐｐｅｄ）少なくとも一つのチャネルに関する情報を受信すること、をさらに具備することを特徴とする、項目１に記載のＴＶＢＤネットワーク又はデバイスのネイバー発見方法。
（項目７）
前記送信することは、
前記ＴＶＢＤネットワーク又はデバイスから共存のための情報を要請して獲得する共存イネーブラ（ｃｏｅｘｉｓｔｅｎｃｅ  ｅｎａｂｌｅｒ）を介して前記要請を送信することであり、
前記受信することは、
前記共存イネーブラを介して前記ネイバー情報を受信することである、ことを特徴とする、項目１に記載のＴＶＢＤネットワーク又はデバイスのネイバー発見方法。
（項目８）
ＴＶＢＤ（ＴｅｌｅＶｉｓｉｏｎ  Ｂａｎｄ  Ｄｅｖｉｃｅ）ネットワーク又はデバイスであって、
送受信部と、
前記送受信部が、前記ＴＶＢＤネットワーク又はデバイスをサービスする共存マネジャーに要請を送信し、前記要請に応答して、前記ＴＶＢＤネットワーク又はデバイスのネイバー情報を受信するように制御するコントローラと、
を備え、
前記ネイバー情報は、前記ＴＶＢＤネットワーク又はデバイスと干渉関係にあるネイバーＴＶＢＤネットワーク又はデバイスの識別子を含み、
前記ネイバー情報は、前記ＴＶＢＤネットワーク又はデバイス及び前記ネイバーＴＶＢＤネットワーク又はデバイスの運用チャネル（ｏｐｅｒａｔｉｎｇ  ｃｈａｎｎｅｌｓ）に基づくものであることを特徴とする、ＴＶＢＤネットワーク又はデバイス。
（項目９）
前記ネイバー情報は、前記ＴＶＢＤネットワーク又はデバイスの干渉レベル（ｉｎｔｅｒｆｅｒｅｎｃｅ  ｌｅｖｅｌ）にさらに基づくものであることを特徴とする、項目８に記載のＴＶＢＤネットワーク又はデバイス。
（項目１０）
前記ネイバー情報は、前記ＴＶＢＤネットワーク又はデバイスの測定結果（ｍｅａｓｕｒｅｍｅｎｔ  ｒｅｓｕｌｔｓ）に基づくものであることを特徴とする、項目８に記載のＴＶＢＤネットワーク又はデバイス。
（項目１１）
前記ネイバー情報は、前記共存マネジャーが、必要な場合に、サーバー又は他の共存マネジャーから獲得することを特徴とする、項目８に記載のＴＶＢＤネットワーク又はデバイス。
（項目１２）
前記ＴＶＢＤネットワーク又はデバイスと前記ネイバーＴＶＢＤネットワーク又はデバイスとが、異種のネットワーク技術を用いることを特徴とする、項目８に記載のＴＶＢＤネットワーク又はデバイス。
（項目１３）
前記コントローラは、前記送受信部が前記共存マネジャーから、前記ネイバーＴＶＢＤネットワーク又はデバイスに割り当てられたチャネルと重複しない（ｎｏｎ−ｏｖｅｒｌａｐｐｅｄ）少なくとも一つのチャネルに関する情報を受信するように制御することを特徴とする、項目８に記載のＴＶＢＤネットワーク又はデバイス。
（項目１４）
前記送受信部は、前記ＴＶＢＤネットワーク又はデバイスから共存のための情報を要請して獲得する共存イネーブラ（ｃｏｅｘｉｓｔｅｎｃｅ  ｅｎａｂｌｅｒ）を介して前記要請を送信し、前記共存イネーブラを介して前記ネイバー情報を受信することを特徴とする、項目８に記載のＴＶＢＤネットワーク又はデバイス。
【発明の効果】
【００２６】
したがって、本明細書で提示される一実施例によれば、管理機器が実質的な干渉関係に基づいてネットワーク又はデバイス間のリソースを效率的に割り当てることによって、限られたリソースの活用性を極大化することが可能になる。
【図面の簡単な説明】
【００２７】
【図１】図１は、本明細書の一実施例に係る共存（ｃｏｅｘｉｓｔｅｎｃｅ）システムを示すブロック図である。
【図２】図２は、本明細書の他の実施例に係る共存システムを示すブロック図である。
【図３】図３は、本明細書の一実施例に係る共存システムが配置されている例を示す図である。
【図４】図４は、本明細書の一実施例に係る共存システムの動作を示す図である。
【図５】図５は、本明細書の一実施例に係る共存システムが配置されている他の例を示す図である。
【図６】図６の（ａ）及び（ｂ）は、ＣＤＩＳ／ＣＤＢ  ４００の動作を示す例示図である。
【図７】図７は、共存輪郭を示す例示図である。
【図８】図８は、図７の環境において共存ホワイトスペースマップ（ＣＷＭ：Ｃｏｅｘｉｓｔｅｎｃｅ  Ｗｈｉｔｅｓｐａｃｅ  ＭＡＰ）又は共存マップ（Ｃｏｅｘｉｓｔｅｎｃｅ  ＭＡＰ）の例を示す図である。
【図９】図９は、本明細書に開示された一実施例に係るネイバー探索過程を示すフローチャートである。
【図１０】図１０は、本明細書の実施例に係るＴＶＢＤ（ＴｅｌｅＶｉｓｉｏｎ  Ｂａｎｄ  Ｄｅｖｉｃｅ）ネットワーク又はデバイスの可用チャネル情報を例示する図である。
【図１１】図１１は、本明細書に開示された第１実施例に係るネイバー探索過程を示す概念図である。
【図１２】図１２は、本明細書に開示された第２実施例に係るネイバー探索過程を示す概念図である。
【図１３】図１３は、本明細書に開示された実施例に係る共存マネジャー（ＣＭ）のリソース割当過程を示すフローチャートである。
【図１４】図１４は、本明細書に開示された実施例に係るネイバーリストアップデート過程を示すフローチャートである。
【図１５】図１５は、本明細書に開示された一実施例に係る共存マネジャー（ＣＭ）３００がＴＶＢＤ（ＴｅｌｅＶｉｓｉｏｎ  Ｂａｎｄ  Ｄｅｖｉｃｅ）ネットワーク又はデバイス１００から使用チャネル情報及び干渉レベル情報を受信する過程を説明するための図である。
【図１６】図１６は、本明細書に開示された他の実施例に係る共存マネジャー（ＣＭ）３００がＴＶＢＤネットワーク又はデバイス１００から使用チャネル情報及び干渉レベル情報を受信する過程を説明するための図である。
【図１７】図１７は、本明細書に開示された一実施例に係る共存マネジャー（ＣＭ）３００がＴＶＢＤネットワーク又はデバイス１００のネイバーセットを発見する過程を説明するための図である。
【図１８】図１８は、本明細書に開示された一実施例に係るＴＶＢＤネットワーク又はデバイス１００又は共存マネジャー（ＣＭ）３００のサービス切替過程を示す図である。
【図１９】図１９は、本明細書に開示された他の実施例に係るＴＶＢＤネットワーク又はデバイス１００又は共存マネジャー（ＣＭ）３００のサービス切替過程を示す図である。
【図２０】図２０は、本明細書に開示された他の実施例に係るＴＶＢＤネットワーク又はデバイス１００のサービス選択過程を示す図である。
【図２１】図２１の（ａ）は、本明細書に開示された一実施例に係る共存サービス変更要請のサービスプリミティブのセマンティックス（ｓｅｍａｎｔｉｃｓ）を示す図である。図２１の（ｂ）は、本明細書に開示された一実施例に係る共存サービス変更報知のサービスプリミティブのセマンティックスを示す図である。図２１の（ｃ）は、本明細書に開示された一実施例に係る共存サービス変更応答のサービスプリミティブのセマンティックスを示す図である。図２１の（ｄ）は、本明細書に開示された一実施例に係る共存サービス変更確認のサービスプリミティブのセマンティックスを示す図である。
【図２２】図２２は、本明細書に開示された実施例に係る共存マネジャー（ＣＭ）３００のサービス切替過程を示す図である。
【図２３】図２３は、本明細書に開示されたＴＶＢＤネットワーク又はデバイス１００のブロック図である。
【発明を実施するための形態】
【００２８】
本明細書で使われる技術的用語は、単に、特定の実施例を説明するためのもので、本発明を限定するためのものではないことに留意されたい。また、本明細書で使われる技術的用語は、本明細書で特別に定義しない限り、本発明の属する技術の分野における通常の知識を有する者にとって一般的に理解される意味として解釈されなければならず、過度に包括的な意味や過度に縮小した意味として解釈されてはならない。また、本明細書で使われる技術的用語が本発明の思想を正確に表現していない誤った技術的用語になっていると、それは、当業者が正しく理解できるような技術的用語に直して理解されるべきである。また、本発明で使われる一般的な用語は、辞書に定義されている通りに、又は前後文脈に照らして解釈されなければならず、過度に縮小した意味として解釈されてはならない。
【００２９】
また、本明細書で使われる単数の表現は、文脈から明らかでない限り、複数の表現をも含む。本出願で、「構成される」又は「備える」などの用語は、明細書上に記載された種々の構成要素又は種々の段階を全て必備えるという意味で解釈されるものではなく、それらの一部の構成要素又は一部の段階を備えないこともあり、又は追加の構成要素又は段階をさらに備えることもあるという意味で解釈されるべきである。
【００３０】
また、本明細書で使われる第１、第２のような序数を含む用語は、種々の構成要素を説明するのに使われているが、それらの構成要素を限定するものではなく、一つの構成要素を他の構成要素から区別する目的にのみ使われる。例えば、本発明の権利範囲を逸脱することなく、第１構成要素が第２構成要素と命名され、同様に第２構成要素が第１構成要素と命名されることもある。
【００３１】
ある構成要素が他の構成要素に「連結」又は「接続」されているとした場合、ある構成要素が他の構成要素に直接連結又は接続されていることもあり、両構成要素の間にさらに他の構成要素が介在されていることもある。一方、ある構成要素が他の構成要素に「直接連結」又は「直接接続」されているとした場合は、両構成要素の間にさらに他の構成要素が存在していないと理解すべきである。
【００３２】
以下、添付の図面を参照して、本発明の好適な実施例について詳細に説明する。ただし、図面を通じて同一又は類似の構成要素には同一の参照番号を付し、その重複説明は省略するものとする。また、本発明を説明するにあって、関連の公知技術に関する具体的な説明が本発明の要旨をあいまいにさせる可能性があると判断される場合にはその詳細な説明を省略する。また、添付の図面は、本発明の思想を容易に理解させるためのもので、本発明の思想を制限するためのものではないことに留意しなければならない。本発明の思想は、添付の図面の他、あらゆる変更、均等物又は代替物にまでも拡張されるものとして解釈されるべきである。
【００３３】
以下に使われる端末は、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、無線機器（Ｗｉｒｅｌｅｓｓ  Ｄｅｖｉｃｅ）、携帯機器（Ｈａｎｄｈｅｌｄ  Ｄｅｖｉｃｅ）、ＡＴ（Ａｃｃｅｓｓ  Ｔｅｒｍｉｎａｌ）と呼ぶこともできる。
【００３４】
ＩＥＥＥ  ８０２．１１  ＷＬＡＮ（ｗｉｒｅｌｅｓｓ  ｌｏｃａｌ  ａｒｅａ  ｎｅｔｗｏｒｋ）標準は、２．４ＧＨｚ又は５ＧＨｚで無認可帯域（ｕｎｌｉｃｅｎｓｅｄ  ｂａｎｄ）を用いた１１Ｍｂｐｓ（ＩＥＥＥ  ８０２．１１ｂ）、５４Ｍｂｐｓ（ＩＥＥＥ  ８０２．１１ａ）の伝送速度を提供する。
【００３５】
ＩＥＥＥ  ８０２．１１ｇは、２．４ＧＨｚでＯＦＤＭ（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ）を適用して、５４Ｍｂｐｓの伝送速度を提供する。
【００３６】
ＩＥＥＥ  ８０２．１１ｎは、ＭＩＭＯ−ＯＦＤＭを適用して、４個の空間ストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  ｂａｎｄｗｉｄｔｈ）を４０ＭＨｚまで支援し、この場合、６００Ｍｂｐｓの伝送速度を提供する。
【００３７】
ＴＶホワイトスペース（ＴＶ  Ｗｈｉｔｅｓｐａｃｅ）は、放送ＴＶシステム（ｂｒｏａｄｃａｓｔ  ＴＶ）に割り当てられたＶＨＦ帯域（５４〜６０、７６〜８８、１７４〜２１６ＭＨｚ）とＵＨＦ帯域（４７０〜６９８ＭＨｚ）を含み、該当の当周波数帯域で動作する認可されたデバイス（ＴＶ放送及び無線マイクなど）の通信を阻害しないという条件下で、非認可された無認可デバイスに対して使用許可された周波数帯域のことを意味する。
【００３８】
一方、ＴＶＷＳはＴＶ  ＷｈｉｔｅＳｐａｃｅ（ホワイトスペース）の略語であり、ホワイトスペースとは、ＴＶ放送用に分配されたＶＨＦ及びＵＨＦ周波数帯域において放送事業者が使用しない空いている周波数帯域を意味し、政府の電波規制条件を満たしさえすれば誰でも使用可能な無免許帯域である。すなわち、ＴＶホワイトスペースは、放送のための周波数情報を意味することができる。さらにいうと、空間的には、放送事業者間の周波数干渉を恐れて空けておいた帯域、地域別に使われない周波数帯域、又は放送用電波が至らない地域を意味し、時間的には、放送業者が放送を送出しない夜明けなどの時間帯に空いている放送周波数を意味する。絶対に、放送業者の顧客であるＴＶ視聴者に干渉を与えて受信を妨害してはならない他、この帯域の一部を用いて小出力で通信する無線マイク装置に影響を与えてもいけない。
【００３９】
５１２〜６０８ＭＨｚ、６１４〜６９８ＭＨｚでは、いくつかの特殊な場合を除けば、全ての無認可デバイスに動作が許容されているが、５４〜６０ＭＨｚ、７６〜８８ＭＨｚ、１７４〜２１６ＭＨｚ、４７０〜５１２ＭＨｚ帯域は、固定デバイス（ｆｉｘｅｄ  ｄｅｖｉｃｅ）間の通信にのみ許容されている。固定デバイスとは、定められた位置でのみ伝送を行うデバイスのことを指す。
【００４０】
ＩＥＥＥ  ８０２．１１  ＴＶＷＳ端末は、ＴＶホワイトスペーススペクトル（ＴＶ  Ｗｈｉｔｅｓｐａｃｅ  ｓｐｅｃｔｒｕｍ）でＩＥＥＥ  ８０２．１１  ＭＡＣ及びＰＨＹを用いて動作する無認可デバイスを意味する。
【００４１】
ＴＶホワイトスペースを使用したい無免許使用者は、免許使用者に対する保護（ｐｒｏｔｅｃｔｉｏｎ）機能を提供しなければならない。そのため、ＴＶ帯域で伝送を始める前に、必ず免許使用者が該当の帯域を占有しているか否か確認する。
【００４２】
そのために、無認可デバイスは、インターネットあるいは専用回線を介して位置情報データベース（ｇｅｏ−ｌｏｃａｔｉｏｎ  ｄａｔａｂａｓｅ）に接続して、該当の地域で使用可能なチャネルリスト情報を獲得しなければならない。位置情報データベースは、自身に登録されている認可デバイスの情報、認可デバイスの位置情報、及び使用時間によって動的に変化するチャネル使用情報を保存し管理するデータベースである。
【００４３】
ステーション（ＳＴＡ；Ｓｔａｔｉｏｎ）は、スペクトル感知メカニズム（ｓｐｅｃｔｒｕｍ  ｓｅｎｓｉｎｇ  ｍｅｃｈａｎｉｓｍ）を行う。スペクトル感知メカニズムにはエネルギー検出（Ｅｎｅｒｇｙ  Ｄｅｔｅｃｔｉｏｎ）方式、特徴検出（Ｆｅａｔｕｒｅ  Ｄｅｔｅｃｔｉｏｎ）方式などが用いられる。受信信号の強度が一定値以上であれば、優先使用者（ｉｎｃｕｍｂｅｎｔ  ｕｓｅｒ）が使用中であると判断したり、ＤＴＶプリアンブル（ＤＴＶ  Ｐｒｅａｍｂｌｅ）が検出されると、優先使用者が使用中であると判断する。そして、現在使用中のチャネルと直ぐ隣接しているチャネルで優先使用者が使用中であると判断されると、ＳＴＡとアクセスポイント（ＡＰ；Ａｃｃｅｓｓ  Ｐｏｉｎｔ）は伝送電力を下げなければならない。
【００４４】
図１は、本明細書の一実施例に係る共存（ｃｏｅｘｉｓｔｅｎｃｅ）システムを示すブロック図である。図１に示すように、共存システムは、機能によって、共存イネーブラ（ＣＥ：Ｃｏｅｘｉｓｔｅｎｃｅ  Ｅｎａｂｌｅｒ）２００、共存マネジャー（ＣＭ：Ｃｏｅｘｉｓｔｅｎｃｅ  Ｍａｎａｇｅｒ）３００、及び共存発見及び管理サーバー（ＣＤＩＳ：Ｃｏｅｘｉｓｔｅｎｃｅ  Ｄｉｓｃｏｖｅｒｙ  ａｎｄ  Ｉｎｆｏｒｍａｔｉｏｎ  Ｓｅｒｖｅｒ）又は共存データベース（ＣＤＢ：Ｃｏｅｘｉｓｔｅｎｃｅ  Ｄａｔａｂａｓｅ）４００を備える。
【００４５】
共存マネジャー（ＣＭ）３００と共存イネーブラ（ＣＥ）２００は、ＴＶホワイトスペースで無認可状態で動作する、相互に異なった無線システムや無線事業者間の共存のために定義された論理的エンティティ（ｌｏｇｉｃａｌ  ｅｎｔｉｔｙ）である。共存マネジャー（ＣＭ）３００は、ＴＶＷＳデータベースとのインターフェースを有しており、ＴＶＷＳで動作する相互に異なったシステム及び事業者間の共存のために、共存に関連した政策、ガイドラインを提供しながら、自身に接続された共存イネーブラ（ＣＥ）２００同士間のインターフェース問題を解決するためにリソース割当が行える客体である。
【００４６】
共存イネーブラ（ＣＥ）２００は、ＴＶＢＤネットワーク又はデバイス１００とのインターフェースを有しており、共存マネジャー（ＣＭ）３００から受信した情報及び命令をＴＶＢＤネットワーク又はデバイス１００に伝達する役割を果たす客体である。本明細書では、ＳＴＡが共存イネーブラ（ＣＥ）２００の機能を担うことができ、これら複数の共存イネーブラ（ＣＥ）２００を制御しうる上位客体として共存マネジャー（ＣＭ）３００のような管理エンティティが存在する、共存ネットワーク構造について扱う。
【００４７】
共存イネーブラ（ＣＥ）２００は、共存マネジャー（ＣＭ）３００から、共存に関連した情報や命令を受信する。受信した情報や命令は、該当のメッセージが要求するＴＶＢＤネットワーク又はデバイス１００の動作のために、共存イネーブラ（ＣＥ）２００がメディア特定（ｍｅｄｉａ  ｓｐｅｃｉｆｉｃ）の形態の情報あるいは命令に変換してＴＶＢＤネットワーク又はデバイス１００に伝達する。同様に、ＴＶＢＤネットワーク又はデバイス１００から受信した情報は、共存イネーブラ（ＣＥ）２００により、共存システムで定義されたメッセージの形態に変換されて、共存マネジャー（ＣＭ）３００に伝送されてもよい。共存イネーブラ（ＣＥ）２００は、ＴＶＢＤネットワーク又はデバイス１００中に位置しているため、共存のための情報、命令が伝達されるには、ＴＶＢＤネットワーク又はデバイス１００の管理エンティティとのＳＡＰ（ｓｅｒｖｉｃｅ  ａｃｃｅｓｓ  ｐｏｉｎｔ）とプリミティブ（ｐｒｉｍｉｔｉｖｅ）が定義されなければならない。
【００４８】
共存マネジャー（ＣＭ）３００は、１つあるいは２つ以上の共存イネーブラ（ＣＥ）２００をサービスすることができる。共存マネジャー（ＣＭ）３００は、ＴＶＷＳデータベースのような外部エンティティ、自身がサービスする共存イネーブラ（ＣＥ）２００、又は他の共存マネジャー（ＣＭ）３００から必要な情報を獲得することができる。共存マネジャー（ＣＭ）３００は、他の共存マネジャー（ＣＭ）３００と情報や命令メッセージをやり取りしたり、自身がサービスする共存イネーブラ（ＣＥ）２００に情報や命令を伝送する。共存マネジャー（ＣＭ）３００は、獲得した情報に基づいて共存決定（ｃｏｅｘｉｓｔｅｎｃｅ  ｄｅｃｉｓｉｏｎ  ｍａｋｉｎｇ）をするが、自身がサービスする共存イネーブラ（ＣＥ）２００の動作チャネル、最大伝送電力値を決定することなどが、その決定に含まれてよい。
【００４９】
ＴＶＢＤネットワーク又はデバイス１００は、ＴＶ帯域を使用する無免許使用者であって、デバイス又はネットワークでよい。例えば、ＴＶＢＤネットワーク又はデバイス１００は、ＡＰ（Ａｃｃｅｓｓ  Ｐｏｉｎｔ）やＢＳ（Ｂａｓｅ  Ｓｔａｔｉｏｎ）のように、マスターモードとして動作するデバイスでよい。これらはマスターモードとして動作しながら、共存のために共存マネジャー（ＣＭ）３００と通信し、スレーブモードとして動作するデバイスを管理／制御することができる。
【００５０】
ＣＤＩＳ  ４００は、共存マネジャー（ＣＭ）３００とのインターフェースを有しており、自身がサービスする共存マネジャー（ＣＭ）３００及び該共存マネジャー（ＣＭ）３００がサービスする共存イネーブラ（ＣＥ）２００に関連した情報、例えば、共存イネーブラ（ＣＥ）２００がサービスするＴＶＢＤネットワーク又はデバイス１００の位置情報（ｇｅｏ−ｌｏｃａｔｉｏｎ）、ＴＶＢＤネットワーク又はデバイス１００がＴＶＷＳデータベースから獲得した可用チャネルリスト情報、ＴＶＢＤネットワーク又はデバイス１００の測定（ｍｅａｓｕｒｅｍｅｎｔ）結果、共存マネジャー（ＣＭ）３００がサービスしている共存イネーブラ（ＣＥ）２００リストなどを、共存マネジャー（ＣＭ）３００から獲得して管理することができる。
【００５１】
ＣＤＩＳ  ４００は、自身がサービスする共存マネジャー（ＣＭ）３００間、そして共存イネーブラ（ＣＥ）２００間のネイバー（ｎｅｉｇｈｂｏｒ）関係を計算することができる。すなわち、特定ＴＶＢＤネットワーク又はデバイス１００を考慮したとき、この特定ＴＶＢＤネットワーク又はデバイス１００と干渉（ｉｎｔｅｒｆｅｒｉｎｇ）関係にあるＴＶＢＤネットワーク又はデバイス１００、そして該ＴＶＢＤネットワーク又はデバイス１００をサービスする共存イネーブラ（ＣＥ）２００及び共存マネジャー（ＣＭ）３００を計算することができる。
【００５２】
共存サービスを使用するために、共存イネーブラ（ＣＥ）２００は、共存マネジャー（ＣＭ）３００と接続（ｃｏｎｎｅｃｔｉｏｎ）を設定し、当該共存マネジャー（ＣＭ）３００に自身を登録する。共存マネジャー（ＣＭ）３００も、隣接した共存マネジャー（ＣＭ）３００と接続を設定しなければならない。共存マネジャー（ＣＭ）３００は、自身に登録された共存イネーブラ（ＣＥ）２００を管理して共存のためのサービスを提供する。このように、共存マネジャー（ＣＭ）３００が複数の共存イネーブラ（ＣＥ）２００を管理しながら共存のための意思決定を行うトポロジー（ｔｏｐｏｌｏｇｙ）を、中央集中型トポロジー（ｃｅｎｔｒａｌｉｚｅｄ  ｔｏｐｏｌｏｇｙ）と呼ぶ。中央集中型トポロジーにおいて意思決定者は共存マネジャー（ＣＭ）３００であるから、共存イネーブラ（ＣＥ）２００は共存マネジャー（ＣＭ）３００の意思決定に従う。
【００５３】
以下では、共存システム内の各構成要素についてより詳細に説明する。
【００５４】
共存イネーブラ（ＣＥ）２００は共存マネジャー（ＣＭ）３００とはインターフェースＢ１で接続され、共存マネジャー（ＣＭ）３００はＣＤＩＳ又はＣＤＢ  ４００とはインターフェースＢ２で接続され、共存マネジャー（ＣＭ）３００は他の共存マネジャー（ＣＭ）３００’とはインターフェースＢ３で接続されている。
【００５５】
また、共存イネーブラ（ＣＥ）２００は、ＴＶＢＤネットワーク又はデバイス１００とインターフェースＡで接続されている。ここで、ＴＶＢＤネットワーク又はデバイス１００は、米国連邦通信委員会（Ｆｅｄｅｒａｌ  Ｃｏｍｍｕｎｉｃａｔｉｏｎ  Ｃｏｍｍｉｓｓｉｏｎ；ＦＣＣ）でＴＶホワイトスペース利用を可能にした端末を意味する。ＴＶＢＤネットワーク又はデバイス１００は、ＴＶＷＳデータベース６００とインターフェースＣで接続されている。
【００５６】
共存イネーブラ（ＣＥ）２００は、ＴＶＢＤネットワーク又はデバイス１００から、共存（Ｃｏｅｘｉｓｔｅｎｃｅ）に要求される情報を要請して獲得することができ、共存マネジャー（ＣＭ）３００から受信した構造（ｒｅｃｏｎｆｉｇｕｒａｔｉｏｎ）変更要請／命令（ｒｅｑｕｅｓｔｓ／ｃｏｍｍａｎｄｓ）と制御情報（ｃｏｎｔｒｏｌ  ｉｎｆｏｒｍａｔｉｏｎ）を、ＴＶＢＤ特定構造（ｒｅｃｏｎｆｉｇｕｒａｔｉｏｎ）要請／命令（ｒｅｑｕｅｓｔｓ／ｃｏｍｍａｎｄｓ）に変換してＴＶＢＤネットワーク又はデバイス１００に送ることができる。
【００５７】
共存マネジャー（ＣＭ）３００は、ＴＶＢＤネットワーク間に共存問題を解決するために他のＣＭを探索（ｄｉｓｃｏｎｖｅｒｙ）する機能、対応する共存要請／命令と制御情報を生成して共存イネーブラ（ＣＥ）２００に提供する共存意志決定（ｃｏｅｘｉｓｔｅｎｃｅ  ｄｅｃｉｓｉｏｎ  ｍａｋｉｎｇ）機能、ＣＭ間に共存のために要求される情報の交換を支援する機能（これは、ＣＭを配置するにあって階層的（ｈｉｅｒａｒｃｈｉｃａｌ）及び／又は同等な（ｐｅｅｒ−ｔｏ−ｐｅｅｒ）意志決定能力（ｃａｐａｂｉｌｉｔｉｅｓ）を含むことができる。）を有することができる。
【００５８】
また、共存マネジャー（ＣＭ）３００は、複数の共存マネジャーに関する情報を共有して代表共存マネジャーを選択する機能、後述するように、相互に異なったネットワーク同士及びシステム同士において周波数リソースを效率的に共有するための共存ホワイトスペースマップ（Ｃｏｅｘｉｓｔｅｎｃｅ  Ｗｈｉｔｅｓｐａｃｅ  Ｍａｐ）を生成する機能、及びＴＶＷＳ共存に関連した管理を行う際にネットワークオペレータ（ｏｐｅｒａｔｏｒｓ）を補助する機能を有することができる。
【００５９】
このような共存マネジャー（ＣＭ）３００は、ＡＰ（Ａｃｃｅｓｓ  Ｐｏｉｎｔ）又は基地局（Ｂａｓｅ−ｓｔａｔｉｏｎ）のようなデバイス内に組み込まれた（ｅｍｂｅｄｄｅｄ）形態になっていてもよく、デバイスの外部に設けられていてもよい。
【００６０】
ＣＤＩＳ／ＣＤＢ  ４００は、機能によって、ＣＤＩＳ又はＣＤＢなどで表すことができる。ＣＤＩＳ／ＣＤＢ  ４００は、相互に異なったネットワーク同士間やシステム同士間において周波数リソースを效率的に共有するために共存ホワイトスペースマップ（Ｃｏｅｘｉｓｔｅｎｃｅ  Ｗｈｉｔｅｓｐａｃｅ  Ｍａｐ）又は共存マップ（Ｃｏｅｘｉｓｔｅｎｃｅ  ＭＡＰ）を生成する機能、ＴＶＷＳ共存に関連した管理を行う際に複数個のオペレータを制御する機能、共存マネジャー（ＣＭ）同士の通信オーバーヘッド（ｏｖｅｒｈｅａｄ）を減らし、且つ共存問題を解決するために、代表ＣＭを選出する機能、を有することができる。
【００６１】
また、ＣＤＩＳ／ＣＤＢ  ４００は、隣接したネットワーク／システムを探索するために共存輪郭線（ｃｏｅｘｉｓｔｅｎｃｅ  ｃｏｎｔｏｕｒ）を計算する機能、共存問題を解決するために共存ホワイトスペースマップ（Ｃｏｅｘｉｓｔｅｎｃｅ  Ｗｈｉｔｅｓｐａｃｅ  Ｍａｐ）又は共存マップ（Ｃｏｅｘｉｓｔｅｎｃｅ  ＭＡＰ）をＴＶＢＤに合わせて再設定（Ｒｅｄｉｒｅｃｔｉｏｎ）する機能、共存マネジャー（ＣＭ）同士間にインターフェースの開放を促して共存マネジャー（ＣＭ）の探索を支援する機能、及び共存を促しうる情報を収集し総合して提供する機能（これは、データストレージ、データプロセシングを含む。）を果たすことができる。
【００６２】
ＣＤＩＳ／ＣＤＢ  ４００は、リソースを割り当てる際に全能（ｏｍｎｉｐｏｔｅｎｔ）にリソースを配分したり、仲介者（ｉｎｔｅｒｍｅｄｉａｒｙ）として共存マネジャー（ＣＭ）３００間の優先権（ｐｒｉｏｒｉｔｙ）の基準を提示し、各共存マネジャー（ＣＭ）３００のリソース選択に対して調停を行ったり、ＤＢ（ＤａｔａＢａｓｅ）として共存マネジャー（ＣＭ）３００間の外部及び異種ネットワーク間の情報共有媒介体として働くことができる。
【００６３】
一方、インターフェースＡは、共存イネーブラ（ＣＥ）２００とＴＶＢＤネットワーク又はデバイス１００間のインターフェースで、ＴＶＢＤネットワーク又はデバイス１００からは、共存のために要求される情報、共存のための構成（ｃｏｎｆｉｇｕｒａｔｉｏｎ）／情報要請、共存のための構成／測定／情報応答、及び必要によって他の情報が提供されうる。共存イネーブラ（ＣＥ）２００からＴＶＢＤネットワーク又はデバイス１００には、再構成要請／命令と制御情報（ＣＭから受信した共存要請／命令と制御情報に対応する）、ＴＶＢＤネットワーク又はデバイス１００によって行われる測定値を制御することに関連した要請／命令、可能なリソースを通知する情報、及び必要によって他の情報が提供されうる。
【００６４】
インターフェースＢ１は、共存イネーブラ（ＣＥ）２００と共存マネジャー（ＣＭ）３００間のインターフェースで、共存イネーブラ（ＣＥ）２００から共存マネジャー（ＣＭ）３００には、共存のために要求される情報（ＴＶＢＤネットワーク又はデバイス１００から得た情報）、及び必要によって他の情報が提供されうる。共存マネジャー（ＣＭ）３００から共存イネーブラ（ＣＥ）２００には、共存要請／命令及び制御情報、及び必要によって他の情報が提供されうる。
【００６５】
インターフェースＢ２は、共存マネジャー（ＣＭ）３００とＣＤＩＳ／ＣＤＢ  ４００間のインターフェースで、共存マネジャー（ＣＭ）３００からＣＤＩＳ／ＣＤＢ  ４００には、共存マップのために要求される情報、ネイバーセット（ｎｅｉｇｈｂｏｒ  ｓｅｔ）のために要求される情報、登録（ｒｅｇｉｓｔｅｒ）／未登録（ｕｎｅｎｒｏｌｌｅｄ）のために要求される情報、探索（現在使用されるＣＭによって獲得される）のために要求される情報、共存のために要求される情報（現在使用されるＣＭによって獲得される）、及び必要によって他の情報などが提供されうる。
【００６６】
ＣＤＩＳ／ＣＤＢ  ４００から共存マネジャー（ＣＭ）３００には、共存マップのために通知される情報、ネイバーセット（ｎｅｉｇｈｂｏｒ  ｓｅｔ）（又はネイバーリスト（ｎｅｉｇｈｂｏｒ  ｌｉｓｔ））のために通知される情報、代表ＣＭのために通知される情報、探索（他のＣＭによって獲得される）のために要求される情報、共存（他のＣＭによって獲得される）のために要求される情報、及び必要によって他の情報などが提供されうる。
【００６７】
インターフェースＢ３は、共存マネジャー（ＣＭ）３００と他の共存マネジャー（ＣＭ）３００’間のインターフェースで、共存マネジャー（ＣＭ）３００から他の共存マネジャー（ＣＭ）３００’に探索と共存のために要求される情報及びメッセージ、登録（ｒｅｇｉｓｔｅｒ）／未登録（ｕｎｒｅｓｇｉｓｔｅｒ）（共存マネジャー（ＣＭ）から代表共存マネジャー（ＣＭ）に、又はデバイスの共存マネジャー（ＣＭ）からサーバーの共存マネジャー（ＣＭ）に）のために通知される情報、共存マップのために通知される情報（ＣＭから代表ＣＭに、又はサーバーのＣＭからデバイスのＣＭに）、政策交換／交渉に必要な情報、及び必要によって他の情報などが提供されうる。
【００６８】
インターフェースＣは、ＴＶＢＤデバイス１００とＴＶＷＳデータベース６００間のインターフェースで、ＴＶＷＳデータベース６００からＴＶＢＤネットワーク又はデバイス１００に可用チャネルのために通知される情報が提供されうる。
【００６９】
インターフェースＤは、共存マネジャー（ＣＭ）３００とオペレータマネジメントエンティティ（ＯＭＥ：Ｏｐｅｒａｔｏｒ  Ｍａｎａｇｅｍｅｎｔ  Ｅｎｔｉｔｙ）７００間のインターフェースで、ＯＭＥ  ７００から共存マネジャー（ＣＭ）３００に、情報に関連したネットワーク動作情報（例えば、スペクトル政策／ネットワークを運用することに関連した制限要因）、及び必要によって他の情報が提供されうる。
【００７０】
図２は、本明細書の他の実施例に係る共存システムを示すブロック図である。
【００７１】
図２を参照すると、共存イネーブラ２００と共存マネジャー（ＣＭ）３００はそれぞれ、アクセスポイント（ＡＰ）及び基地局（ＢＳ）内に組み込まれてもよい。
【００７２】
また、ＣＤＩＳ／ＣＤＢ  ４００は、ＴＶＷＳデータベース６００に接続されてもよい。このような接続により、ＣＤＩＳ／ＣＤＢ  ４００はＴＶＷＳデータベース６００からＴＶホワイトスペース情報を受信することができる。
【００７３】
図３は、本明細書の一実施例に係る共存システムが配置されている例を示す図である。
【００７４】
図３を参照すると、垂直的には、ネットワークＡ及びネットワークＢが存在している。また、水平的には、通信システムＡ、通信システムＢ及び通信システムＣが存在している。通信システムＡ、通信システムＢ、通信システムＣはそれぞれ異なった無線接続方式、すなわち、通信方式を用いる。例えば、通信システムＡは、セルラー通信、例えば、ＣＤＭＡ、ＧＳＭ（登録商標）、ＣＤＭＡ−２０００、ＷＣＤＭＡ（登録商標）、ＬＴＥ、ＬＴＥ−Ａｄｖａｎｃｅｄ、ＩＥＥＥ  ８０２．１６のようなシステムでよい。システムＢは、通信システムＡよりもセルカバレッジのサイズが小さいセルラーシステムでよい。又は、システムＢはＷｉ−Ｆｉのようなシステムであってもよい。システムＣは、システムＢよりもセルカバレッジのサイズが小さいセルラーシステム、例えば、フェムトセルでよい。通信システムＡ、通信システムＢ、通信システムＣのそれぞれには共存マネジャー（ＣＭ）が存在している。
【００７５】
一方、通信システムＡ、通信システムＢ及び通信システムＣは地理的にネットワークＡ内で共存しており、ネットワークＢ内でも共存している。このように相互共存しうるように、ＣＤＩＳ／ＣＤＢ  ４００は共存マップ（Ｃｏｅｘｉｓｔｅｎｃｅ  ＭＡＰ）を生成して、それぞれの共存マネジャー（ＣＭ）に伝送するとよい。
【００７６】
図４は、本明細書の一実施例に係る共存システムの動作を示す図である。
【００７７】
図４を参照すると、共存マネジャー（ＣＭ）３００がＡＰ及びＢＳ内に組み込まれていないが、これは説明のための例示に過ぎず、共存マネジャー（ＣＭ）３００はＡＰ及びＢＳ内に組み込まれてもよい。また、ＡＰ及びＢＳ内には共存イネーブラ（ＣＥ）２００が組み込まれてもよい。
【００７８】
一方、ＡＰとＢＳはそれぞれ、共存マネジャー（ＣＭ）３００、ＣＤＩＳ／ＣＤＢ  ４００、及びＴＶＷＳデータベース６００に登録する。
【００７９】
共存マネジャー（ＣＭ）３００も同様、ＣＤＩＳ／ＣＤＢ  ４００及びＴＶＷＳデータベース６００に登録する。
【００８０】
一方、ＣＤＩＳ／ＣＤＢ  ４００は、ＴＶＷＳデータベース６００から放送のためのチャネルリストを受信することができる。ここで、チャネルリストとは、放送のための周波数情報でよい。また、チャネルリストは、放送の運用チャネル（ｏｐｅｒａｔｉｎｇ  ｃｈａｎｎｅｌ）と伝送パワー制限（ｔｒａｎｓｍｉｔ  ｐｏｗｅｒ  ｌｉｍｉｔａｔｉｏｎ）に関する情報を含んでもよい。
【００８１】
ＣＤＩＳ／ＣＤＢ  ４００は、ＢＳとＡＰの位置情報及び可用チャネル情報を用いて両者が任意の地域内で共存しているか確認する。相互共存していると、ＡＰ及びＢＳのカバレッジ半径を計算し、チャネルリスト、すなわち、放送のための周波数情報に基づいて、任意の地域内に位置している、相互に異なった種類のアクセスポイント、すなわち、上記ＡＰと上記ＢＳが使用可能なチャネル（又はリソース）、又は一つ以上の周波数帯域を割り当て、該チャネル（又はリソース）、帯域に関す情報、例えば共存マップ（Ｃｏｅｘｉｓｔｅｎｃｅ  ＭＡＰ）を生成して伝送することができる。
【００８２】
図５は、本明細書の一実施例に係る共存システムが配置された他の例を示す。
【００８３】
図５を参照すると、共存マネジャー（ＣＭ）又はＣＤＩＳ／ＣＤＢ  ４００は、複数のＡＰが無線上で共存するように調整することができる。複数のＡＰはインターネットのような物理接続を用いてＣＤＩＳ／ＣＤＢ  ４００に接続すればよい。
【００８４】
ＣＤＩＳ／ＣＤＢ  ４００は、ＴＶＷＳデータベース６００から、前述のように、放送のためのチャネル情報を獲得することができる。また、ＣＤＩＳ／ＣＤＢ  ４００は、特定の地理的領域における放送のためのチャネル情報、例えば、放送チャネルセットを獲得することができる。また、ＣＤＩＳ／ＣＤＢ  ４００は、共存輪郭線を計算することができる。特に、ＴＶ放送用ホワイトスペース又はＴＶ放送用周波数上で動作する、相互に異なったシステム上でネイバー探知機能を備えることができる。
【００８５】
また、ＣＤＩＳ／ＣＤＢ  ４００は、前述したように、共存ホワイトスペースマップ又は共存マップを生成することができる。また、  ＣＤＩＳ／ＣＤＢ  ４００は、共通クロック（ｃｏｍｍｏｎ  ｃｌｏｃｋ）情報を提供することができる。また、相互に異なったシステム間に時間同期のための情報を提供することができる。
【００８６】
ＣＤＩＳ／ＣＤＢ  ４００は、各装置の無線範囲及び干渉範囲に関するパラメータを提供することができる。ＣＤＩＳ／ＣＤＢ  ４００は、前述した共存輪郭線に関するパラメータを提供することができる。ＣＤＩＳ／ＣＤＢ  ４００は、異なったシステム同士間の共存のために隣接したネットワーク装置を識別することができる。ＣＤＩＳ／ＣＤＢ  ４００は、各ネットワークの伝送電力、アンテナ高さ、他の物理パラメータに関する情報を提供することができる。
【００８７】
図６の（ａ）及び（ｂ）は、ＣＤＩＳ／ＣＤＢ  ４００の動作を示す例示図である。
【００８８】
図６（ａ）を参照すると、第１共存マネジャーＣＭ１と第２共存マネジャーＣＭ２が存在しており、これらは、ＴＶＷＳデータベース６００及びＣＤＩＳ／ＣＤＢ  ４００にそれぞれ接続している。第１共存マネジャーＣＭ１と第２共存マネジャーＣＭ２は、ＴＶＷＳデータベース６００から、位置情報及び放送のための周波数情報、例えば、ホワイトスペースマップ（ＷＭ：Ｗｈｉｔｅｓｐａｃｅ  ＭＡＰ）に関する情報を受信する。ホワイトスペースマップとは、ＴＶ放送用に分配されたＶＨＦ及びＵＨＦ周波数帯域のうち、放送事業者が使用しない空いている周波数帯域に関する情報のことを意味することができる。
【００８９】
一方、ＣＤＩＳ／ＣＤＢ  ４００はＴＶＷＳデータベース６００に接続し、該ＴＶＷＳデータベース６００から放送のための周波数情報、例えば、ホワイトスペースマップを受信することができる。そして、ＣＤＩＳ／ＣＤＢ  ４００は、該放送のための周波数情報、例えば、ホワイトスペースマップに基づいて、前述したように、共存ホワイトスペースマップ（ＣＷＭ：Ｃｏｅｘｉｓｔｅｎｃｅ  Ｗｈｉｔｅｓｐａｃｅ  ＭＡＰ）又は共存マップ（ＷＭ：Ｗｈｉｔｅｓｐａｃｅ  ＭＡＰ）を生成することができる。そして、該生成された共存ホワイトスペースマップＣＷＭ又は共存マップＷＭを第１共存マネジャーＣＭ１及び第２共存マネジャーＣＭ２に伝達することができる。
【００９０】
一方、図６（ｂ）を参照すると、第１共存マネジャーＣＭ１及び第２共存マネジャーＣＭ２はＴＶＷＳデータベース６００に接続している。そして、ＴＶＷＳデータベース６００はＣＤＩＳ／ＣＤＢ  ４００に接続している。
【００９１】
ＣＤＩＳ／ＣＤＢ  ４００は、前述した共存ホワイトスペースマップＣＷＭ又は共存マップＷＭをＴＶＷＳデータベース６００に伝達することができ、ＴＶＷＳデータベース６００は、受信した共存ホワイトスペースマップＣＷＭ又は共存マップＷＭを、第１共存マネジャーＣＭ１及び第２共存マネジャーＣＭ２に伝達することができる。この場合、ＴＶＷＳデータベース６００は、受信した共存ホワイトスペースマップＣＷＭ又は共存マップＷＭを、放送のための周波数情報、例えば、ホワイトスペースマップとして伝達することができる。
【００９２】
或いは、ＴＶＷＳデータベース６００は、当該受信した共存ホワイトスペースマップＣＷＭ又は共存マップＷＭに加えて、放送のための周波数情報、例えば、ホワイトスペースマップも、第１共存マネジャーＣＭ１及び第２共存マネジャーＣＭ２に伝達することができる。この場合、第１共存マネジャーＣＭ１及び第２共存マネジャーＣＭ２は、当該受信した共存ホワイトスペースマップＣＷＭ又は共存マップＣＭの他、放送のための周波数情報、例えば、ホワイトスペースマップをも受信すると、それらのうち、適切なものを選択して用いればよい。
【００９３】
図７は、共存輪郭を示す例示図である。
【００９４】
図７を参照すると、ネットワークＡ、ネットワークＢ、ネットワークＣが相互に近接して存在している。各ネットワークの共存輪郭は実線で示されており、各ネットワークの離間距離は点線で示されている。この共存輪郭は各ネットワーク自体の特性によって決定される。これに対し、離間距離は、他のネットワークとの特性によって決定されるとよい。図６を参照すると、ネットワークＡとネットワークＢとは、共存輪郭線が略当接しており、ネットワークＡとネットワークＣとは、共存輪郭線が一部重なっている。
【００９５】
図８には、図７の環境において共存ホワイトスペースマップ（ＣＷＭ：Ｃｏｅｘｉｓｔｅｎｃｅ  Ｗｈｉｔｅｓｐａｃｅ  ＭＡＰ）又は共存マップ（ＣＭ：Ｃｏｅｘｉｓｔｅｎｃｅ  ＭＡＰ）の例を示す。
【００９６】
図８の右上段に示すように、チャネル１からチャネル６が存在するとしよう。このとき、チャネル１及びチャネル２は、放送のための周波数情報、例えば、ホワイトスペースマップによれば放送のために使用中のチャネルであるとしよう。
【００９７】
ＣＤＩＳ／ＣＤＢ  ４００は、同図に示すように、チャネル４が遊休チャネルであることを示す共存ホワイトスペースマップ又は共存マップをネットワークＡに伝送する。これによりネットワークＡがチャネル４を使用すると決定すると、ＣＤＩＳ／ＣＤＢ  ４００は、チャネル３、チャネル５、チャネル６が遊休チャネルであることを示す共存ホワイトスペースマップ又は共存マップをネットワークＢに伝送する。これによりネットワークＢが、例えばチャネル６を使用すると決定すると、ＣＤＩＳ／ＣＤＢ  ４００は、チャネル３及びチャネル５が遊休チャネルであることを示す共存ホワイトスペースマップ又は共存マップをネットワークＣに伝送することができる。
【００９８】
このように、ＣＤＩＳ／ＣＤＢ  ４００はネットワークＡ、Ｂ及びＣにそれぞれ共存ホワイトスペースマップ又は共存マップを伝送することによって、ネットワークＡ、Ｂ及びＣが無線上で共存できるようにする。
【００９９】
共存システムにおいて共存マネジャー（ＣＭ）３００は、自身がサービスする共存イネーブラ（ＣＥ）２００の動作チャネル（又は運用チャネル）を決定する。共存マネジャー（ＣＭ）３００は、ＴＶ帯域で任意に動作チャネルを配分して割り当てたり、各共存イネーブラ（ＣＥ）がサービスするＴＶＢＤネットワーク又はデバイス１００間の干渉関係及び可用チャネルリストを用いて效率的に動作チャネルを割り当てたりする。共存イネーブラ（ＣＥ）に割り当てられた動作チャネルと可用チャネルとの積集合領域で、共存イネーブラ（ＣＥ）２００がサービスするＴＶＢＤネットワーク又はデバイス１００が動作することができる。ＴＶＢＤネットワーク又はデバイス１００が、共存マネジャー（ＣＭ）３００から共存イネーブラ（ＣＥ）２００に割り当てられた動作チャネル以外のチャネルへと移りたい場合には、独自で動作チャネルを変更することはできず、必ず共存マネジャー（ＣＭ）３００からの動作チャネルの割当が新しく変更されなければならない。
【０１００】
共存システムにおいて共存マネジャー（ＣＭ）３００は共存問題を解決するために、自身がサービスする共存イネーブラ（ＣＥ）間のネイバー関係を獲得しなければならない。したがって、共存マネジャー（ＣＭ）３００は、自身がサービスしている共存イネーブラ（ＣＥ）のＴＶＢＤネットワーク又はデバイスが、どの共存マネジャー（ＣＭ）のどの共存イネーブラ（ＣＥ）がサービスするＴＶＢＤネットワーク又はデバイスと干渉関係にあるかを知って、該当のＴＶＢＤネットワーク又はデバイスに相互に異なった無線リソースを割り当てることができる。
【０１０１】
共存マネジャー（ＣＭ）３００は共存イネーブラ（ＣＥ）の動作チャネルを決定する前に、自身がサービスする共存イネーブラ（ＣＥ）、ＴＶＢＤネットワーク又はデバイス間、又は他の共存マネジャー（ＣＭ）の共存イネーブラ（ＣＥ）がサービスするＴＶＢＤネットワーク又はデバイスとの干渉関係を獲得するために、ＣＤＩＳ  ４００に接続してネイバーリストを要請することができる。この時、共存マネジャー（ＣＭ）３００はＣＤＩＳ  ４００にネイバーリスト要請メッセージを伝送する。
【０１０２】
下記の表１に、本明細書に開示された一実施例に係るネイバーリスト（ｎｅｉｇｈｂｏｒ  ｌｉｓｔ）要請メッセージのフレーム構造を示す。
【０１０３】
【表１】
0006021823.tif 000002
表１を参照すると、ネイバーリスト要請メッセージは、ヘッダーとペイロードを含む。ヘッダーは、ネイバーリストの要請を送信する共存マネジャー（ＣＭ）３００の識別子（ＳｏｕｒｃｅＩｄｅｎｔｉｆｉｅｒ）、ネイバーリストの要請を受信するＣＤＩＳ／ＣＤＢ  ４００の識別子（ＤｅｓｔｉｎａｔｉｏｎＩｄｅｎｔｉｆｉｅｒ）、ネイバーリスト要請メッセージのフレームを他の共存フレームと区別するためのメッセージタイプ（ＩｎｆｏｒｍａｔｉｏｎＴｙｐｅ）、及びメッセージのシーケンス番号（ＤｉａｌｏｇＴｏｃｋｅｎ）を含む。
【０１０４】
ペイロードは、ネイバーリストを獲得しようとする共存マネジャー（ＣＭ）の識別子（ＣＭｉｄｅｎｔｉｆｉｅｒ）、ネイバーリストを獲得しようとする共存マネジャー（ＣＭ）がサービスする共存イネーブラ（ＣＥ）の識別子（ＣＥｉｄｅｎｔｉｆｉｅｒ）、ＴＶＢＤネットワーク又はデバイスのタイプ（ＴＶＢＤＴｙｐｅ）、３次元座標で表示されるＴＶＢＤネットワーク又はデバイスの位置情報（Ｇｅｏｌｏｃａｔｉｏｎ）、ＴＶＷＳデータベース６００から獲得した可用チャネルリストで示すチャネル番号であって、ＴＶＢＤネットワーク又はデバイスが使用可能なＴＶバンド帯域を意味するチャネル番号（ＣｈａｎｎｅｌＮｕｍｂｅｒ）、及びＴＶＢＤネットワーク又はデバイス１００の最大パワーレベル（ＭａｘｉｍｕｍＰｏｗｅｒＬｅｖｅｌ）を含むことができる。
【０１０５】
ここで、ネイバーリストを獲得しようとする共存マネジャー（ＣＭ）の識別子（ＣＭｉｄｅｎｔｉｆｉｅｒ）は、共存システム内に複数の共存マネジャー（ＣＭ）が存在する場合に、ネイバーリストの要請を送信する共存マネジャー（ＣＭ）３００、又は共存マネジャー（ＣＭ）３００が認識している他の共存マネジャー（ＣＭ）の識別子でよい。
【０１０６】
ネイバーリストを獲得しようとする共存マネジャー（ＣＭ）が複数である場合に、ネイバーリストを獲得しようとする共存マネジャー（ＣＭ）の識別子（ＣＭｉｄｅｎｔｉｆｉｅｒ）は、各共存マネジャー（ＣＭ）に対して反復される。また、ネイバーリストを獲得しようとする共存マネジャー（ＣＭ）が複数の共存イネーブラ（ＣＥ）をサービスする場合に、ネイバーリストを獲得しようとする共存マネジャー（ＣＭ）がサービスする共存イネーブラ（ＣＥ）の識別子（ＣＥｉｄｅｎｔｉｆｉｅｒ）は、各共存イネーブラ（ＣＥ）に対して反復される。また、共存イネーブラ（ＣＥ）がサービスするＴＶＢＤネットワーク又はデバイスが複数である場合に、ＴＶＢＤネットワーク又はデバイスのタイプ（ＴＶＢＤＴｙｐｅ）、及びＴＶＢＤネットワーク又はデバイスの位置情報（Ｇｅｏｌｏｃａｔｉｏｎ）が、各ＴＶＢＤネットワーク又はデバイスに対して反復される。
【０１０７】
また、ＴＶＢＤネットワーク又はデバイスの可用チャネルが複数である場合に、チャネル番号（ＣｈａｎｎｅｌＮｕｍｂｅｒ）及び最大パワーレベル（ＭａｘｉｍｕｍＰｏｗｅｒＬｅｖｅｌ）は各可用チャネルに対して反復される。
【０１０８】
一方、ＴＶＢＤネットワーク又はデバイスのタイプ（ＴＶＢＤＴｙｐｅ）を下記の表２のように定義することができる。
【０１０９】
【表２】
0006021823.tif 000003
また、ＴＶＢＤの位置情報（Ｇｅｏｌｏｃａｔｉｏｎ）を下記の表３のように定義することができる。
【０１１０】
【表３】
0006021823.tif 000004
チャネル番号（ＣｈａｎｎｅｌＮｕｍｂｅｒ）は、ＴＶチャネル番号、又はＴＶＢＤネットワーク又はデバイスの動作チャネルでよい。８０２．１１システムでは、ＴＶＢＤネットワーク又はデバイスの動作チャネルを、オペレーティングクラス（ｏｐｅｒａｔｉｎｇ  ｃｌａｓｓ）とチャネル番号（ｃｈａｎｎｅｌｎｕｍｂｅｒ）との組み合わせで表すことができる。
【０１１１】
共存マネジャー（ＣＭ）３００からネイバーリストの要請メッセージを受信したＣＤＩＳ  ４００は、自身がサービスする共存マネジャー（ＣＭ）のうち、要請された共存マネジャー（ＣＭ）のネイバーリストを計算する。このとき、ネイバー情報は、要請された共存マネジャー（ＣＭ）の共存イネーブラ（ＣＥ）、ＴＶＢＤネットワーク又はデバイスとの干渉領域にある共存イネーブラ（ＣＥ）、ＴＶＢＤネットワーク又はデバイスに関する情報を含むことができる。
【０１１２】
例えば、共存システム内に共存マネジャー（ＣＭ）が１個のみ存在する場合、ネイバー関係にある共存マネジャー（ＣＭ）が存在しないから、ネイバー情報は、要請された共存マネジャー（ＣＭ）がサービスする共存イネーブラ（ＣＥ）間のネイバー情報となりうる。共存システム内に共存マネジャー（ＣＭ）が複数個存在する場合に、ネイバー情報は、要請された共存マネジャー（ＣＭ）がサービスする共存イネーブラ（ＣＥ）間のネイバー情報、及び要請された共存マネジャー（ＣＭ）がサービスする共存イネーブラ（ＣＥ）との干渉領域に存在する他の共存マネジャー（ＣＭ）によりサービスされる共存イネーブラ（ＣＥ）及びＴＶＢＤネットワーク又はデバイスを含むことができる。
【０１１３】
ＣＤＩＳ  ４００は、ネイバー情報を含むネイバーリスト応答メッセージを共存マネジャー（ＣＭ）３００に伝送する。
【０１１４】
下記の表４に、本明細書に開示された一実施例に係るネイバーリスト応答メッセージのフレーム構造を表す。
【０１１５】
【表４】
0006021823.tif 000005
表４を参照すると、ネイバーリスト応答メッセージは、ヘッダーとペイロードを含む。ヘッダーは、ネイバーリストの要請を送信した共存マネジャー（ＣＭ）３００の識別子（ＳｏｕｒｃｅＩｄｅｎｔｉｆｉｅｒ）、ネイバーリストの要請を受信したＣＤＩＳ／ＣＤＢ  ４００の識別子（ＤｅｓｔｉｎａｔｉｏｎＩｄｅｎｔｉｆｉｅｒ）、ネイバーリスト応答メッセージのフレームを他の共存フレームと区別するためのメッセージタイプ（ＩｎｆｏｒｍａｔｉｏｎＴｙｐｅ）、及びメッセージのシーケンス番号（ＤｉａｌｏｇＴｏｃｋｅｎ）を含む。
【０１１６】
ペイロードは、ネイバーリストを獲得しようとする共存マネジャー（ＣＭ）の識別子（ＣＭｉｄｅｎｔｉｆｉｅｒ）（これは、ネイバーリスト要請メッセージのＣＭｉｄｅｎｔｉｆｉｅｒと一致する。）、ネイバーリストを獲得しようとする共存マネジャー（ＣＭ）がサービスする共存イネーブラ（ＣＥ）の識別子（ＣＥｉｄｅｎｔｉｆｉｅｒ）、ＣＥｉｄｅｎｔｉｆｉｅｒが指示する共存イネーブラ（ＣＥ）がサービスするＴＶＢＤネットワーク又はデバイスの固有番号（ＴＶＢＤＡｄｄｒｅｓｓ）、ＴＶチャネル番号（ＣｈａｎｎｅｌＮｕｍｂｅｒ）（共存マネジャー（ＣＭ）３００は、ＴＶチャネル番号（ＣｈａｎｎｅｌＮｕｍｂｅｒ）別にＣＤＩＳ  ４００からネイバーリストを受信することができる。そのため、共存マネジャー（ＣＭ）３００は、各チャネルに対してＴＶＢＤネットワーク又はデバイスとネイバー関係にあるＴＶＢＤネットワーク又はデバイスに関する情報、及びこれをサービスする共存イネーブラ２００及び共存マネジャー３００に関する情報を獲得することができる。）、ＴＶＢＤＡｄｄｒｅｓｓが指示するＴＶＢＤネットワーク又はデバイスとネイバー関係にある共存マネジャー（ＣＭ）の識別子（ＮｅｉｇｈｂｏｕｒＣＭ）、ＴＶＢＤＡｄｄｒｅｓｓが指示するＴＶＢＤネットワーク又はデバイスとネイバー関係にある共存マネジャー（ＣＭ）の識別子（ＮｅｉｇｈｂｏｕｒＣＥ）、及びＴＶＢＤＡｄｄｒｅｓｓが指示するＴＶＢＤネットワーク又はデバイスとネイバー関係にあるＴＶＢＤネットワーク又はデバイスの固有番号（ＮｅｉｇｈｂｏｕｒＴＶＢＤＡｄｄｒｅｓｓ）を含む。
【０１１７】
ネイバーリストを獲得しようとする共存マネジャー（ＣＭ）が複数である場合、ネイバーリストを獲得しようとする共存マネジャー（ＣＭ）の識別子（ＣＭｉｄｅｎｔｉｆｉｅｒ）は、各共存マネジャー（ＣＭ）に対して反復される。また、ネイバーリストを獲得しようとする共存マネジャー（ＣＭ）が複数の共存イネーブラ（ＣＥ）をサービスする場合、ネイバーリストを獲得しようとする共存マネジャー（ＣＭ）がサービスする共存イネーブラ（ＣＥ）の識別子（ＣＥｉｄｅｎｔｉｆｉｅｒ）は、各共存イネーブラ（ＣＥ）に対して反復される。
【０１１８】
また、共存イネーブラ（ＣＥ）がサービスするＴＶＢＤネットワーク又はデバイスが複数である場合、ＴＶＢＤネットワーク又はデバイスのタイプ（ＴＶＢＤＴｙｐｅ）及びＴＶＢＤネットワーク又はデバイスの位置情報（Ｇｅｏｌｏｃａｔｉｏｎ）が、各ＴＶＢＤネットワーク又はデバイスに対して反復される。また、ＴＶＢＤネットワーク又はデバイスのチャネルが複数である場合、チャネル番号（ＣｈａｎｎｅｌＮｕｍｂｅｒ）は各チャネルに対して反復される。
【０１１９】
また、ＴＶＢＤＡｄｄｒｅｓｓが指示するＴＶＢＤネットワーク又はデバイスとネイバー関係にあるＴＶＢＤネットワーク又はデバイスが複数である場合、ＴＶＢＤＡｄｄｒｅｓｓが指示するＴＶＢＤネットワーク又はデバイスとネイバー関係にある共存マネジャー（ＣＭ）の識別子（ＮｅｉｇｈｂｏｕｒＣＭ）、ＴＶＢＤＡｄｄｒｅｓｓが指示するＴＶＢＤネットワーク又はデバイスとネイバー関係にある共存マネジャー（ＣＭ）の識別子（ＮｅｉｇｈｂｏｕｒＣＥ）、及びＴＶＢＤＡｄｄｒｅｓｓが指示するＴＶＢＤネットワーク又はデバイスとネイバー関係にあるＴＶＢＤネットワーク又はデバイスの固有番号（ＮｅｉｇｈｂｏｕｒＴＶＢＤＡｄｄｒｅｓｓ）は、各ＴＶＢＤネットワーク又はデバイスに対して反復される。
【０１２０】
ネイバーリスト応答メッセージは、ネイバーリスト要請メッセージを用いてネイバーリストを要請した共存マネジャー（ＣＭ）３００がサービスする共存イネーブラ（ＣＥ）２００、ＴＶＢＤネットワーク又はデバイスのネイバー共存イネーブラ（ＣＥ）２００、ネイバーＴＶＢＤネットワーク又はデバイスが共存システムに存在する場合、各ＴＶＢＤネットワーク又はデバイスに対してネイバーＴＶＢＤネットワーク又はデバイス、ネイバーＴＶＢＤネットワーク又はデバイスがサービスを受ける共存イネーブラ（ＣＥ）２００、共存マネジャー（ＣＭ）３００に関する情報を含む。
【０１２１】
図９は、本明細書に開示された一実施例に係るネイバー探索過程を示すフローチャートである。
【０１２２】
ＣＤＩＳ  ４００は、共存システムに存在する全てのＴＶＢＤネットワーク又はデバイスの位置情報及び可用チャネルリストに関する情報に基づいて、ネイバーリストを計算する。共存システムに存在する全てのＴＶＢＤネットワーク又はデバイスの位置情報及び可用チャネルリストに関する情報は、共存マネジャー（ＣＭ）３００がＣＤＩＳ  ４００に登録する過程で伝達されたり、各共存マネジャー（ＣＭ）３００がサービスするＴＶＢＤネットワーク又はデバイスの位置情報や可用チャネルがアップデートされた時、各共存マネジャー（ＣＭ）３００がＣＤＩＳ  ４００にネイバーリスト要請メッセージを再伝送することによって獲得されたりする。
【０１２３】
ＣＤＩＳ  ４００のネイバー探索過程は次の通りである。まず、ＣＤＩＳ  ４００と共存マネジャー（ＣＭ）３００間にインターフェースＢ２により接続が確立される。共存マネジャー（ＣＭ）３００は、表１に表したフレームを用いてＣＤＩＳ  ４００にネイバーリストの要請メッセージを伝送する（Ｓ１１０）。ＣＤＩＳ  ４００は、ネイバーリストの要請メッセージに含まれた、ＴＶＢＤネットワーク又はデバイスのタイプ（ＴＶＢＤＴｙｐｅ）、ＴＶＢＤネットワーク又はデバイスの位置情報（Ｇｅｏｌｏｃａｔｉｏｎ）、及びＴＶＢＤネットワーク又はデバイスが使用可能なＴＶバンド帯域を意味するチャネル番号（ＣｈａｎｎｅｌＮｕｍｂｅｒ）を用いて、それぞれのＴＶＢＤネットワーク又はデバイス間の干渉関係を獲得することができる（Ｓ１２０）。ＣＤＩＳ  ４００は、獲得されたそれぞれのＴＶＢＤネットワーク又はデバイス間の干渉関係に基づいてネイバーリストを獲得することができる。ＣＤＩＳ  ４００は表４に表したフレームを用いて共存マネジャー（ＣＭ）３００にネイバーリストの応答メッセージを伝送する（Ｓ１３０）。
【０１２４】
ＣＤＩＳ  ４００は、チャネル別にそれぞれのＴＶＢＤネットワーク又はデバイス間の物理的距離（共存輪郭線）、及びそれぞれのＴＶＢＤネットワーク又はデバイスの可用チャネルリスト（ａｖａｉｌａｂｌｅ  ｃｈａｎｎｅｌ  ｌｉｓｔ）を考慮して、それぞれのＴＶＢＤネットワーク又はデバイス間にネイバー（ｎｅｉｇｈｂｏｒ）関係が成立するチャネルを決定する。
【０１２５】
ＣＭ３００は、ＣＤＩＳ  ４００からネイバーリストの応答メッセージを受信した後、ネイバーＴＶＢＤネットワーク又はデバイスが存在する場合は、該当のネイバーＴＶＢＤネットワーク又はデバイスを管理する共存マネジャーの動作チャネルを確認し、この動作チャネルを考慮して（例えば、動作チャネルが重複しないようにして）、ＴＶＢＤネットワーク又はデバイスの動作チャネルを決定する。このような動作チャネルの決定は、ＣＥ２００、又はＴＶＢＤネットワーク又はデバイス１００で行われてもよい。
【０１２６】
図１０は、本明細書の実施例に係るＴＶＢＤネットワーク又はデバイスの可用チャネル情報を例示する図である。
【０１２７】
図１０を参照すると、共存イネーブラ（ＣＥ）Ａは、固定デバイス（例えば、表１のデバイスタイプが２の場合）であって、ＴＶチャネル３にＴＶが存在している。共存イネーブラ（ＣＥ）Ａの可用チャネルはチャネル１及びチャネル５となっている。
【０１２８】
また、共存イネーブラ（ＣＥ）Ｂは、パーソナル／ポータブルデバイス（例えば、表１のデバイスタイプが３の場合）であって、ＴＶチャネル１にＴＶが存在している。共存イネーブラ（ＣＥ）Ｂの可用チャネルは、チャネル２乃至チャネル５になっている。
【０１２９】
共存システムにおいて共存イネーブラ（ＣＥ）Ａ及び共存イネーブラ（ＣＥ）Ｂが同一の共存マネジャー（ＣＭ）によりサービスされる実施例について、図１１を参照して詳細に説明する。また、共存システムにおいて共存イネーブラ（ＣＥ）Ａ及び共存イネーブラ（ＣＥ）Ｂがそれぞれ異なった共存マネジャー（ＣＭ）によりサービスされる実施例について、図１２を参照して詳細に説明する。
【０１３０】
図１１は、本明細書に開示された第１実施例に係るネイバー探索過程を示す概念図である。
【０１３１】
第１実施例で、共存マネジャー（ＣＭ）Ａは、図１１に例示したチャネル情報を持つ共存イネーブラ（ＣＥ）Ａ及び共存イネーブラ（ＣＥ）Ｂをサービスすることができる。
【０１３２】
共存マネジャー（ＣＭ）Ａは、ＣＤＩＳ  ４００にネイバーリストを要請することができる。ＣＤＩＳ  ４００は、各共存イネーブラ（ＣＥ）の位置情報（ｇｅｏｌｏｃａｔｉｏｎ）に基づいて干渉範囲（ｉｎｔｅｒｆｅｒｅｎｃｅ  ｒａｎｇｅ）を計算して、共存イネーブラ（ＣＥ）Ａと共存イネーブラ（ＣＥ）Ｂとがネイバー関係にあるか否か判断することができる。
【０１３３】
再び図１０を参照すると、チャネル１乃至チャネル４では、共存イネーブラ（ＣＥ）Ａ及び共存イネーブラ（ＣＥ）Ｂの可用チャネル及びデバイスタイプが相互に異なっているため、干渉の有無にかからわず、共存イネーブラ（ＣＥ）Ａ及び共存イネーブラ（ＣＥ）Ｂのそれぞれは、自身の可用チャネルのいずれか一つを選択して使用すればいい。しかし、チャネル５は、共存イネーブラ（ＣＥ）Ａ、共存イネーブラ（ＣＥ）Ｂの両方に対して可用のチャネルであるから、ネイバー関係にあることとなる。
【０１３４】
下記の表５に、本明細書に開示された第１実施例に係るネイバー探索によるネイバーリスト応答メッセージのフレームの一例を示す。
【０１３５】
【表５】
0006021823.tif 000006
ネイバーリストを獲得しようとする共存マネジャー（ＣＭ）の識別子（ＣＭｉｄｅｎｔｉｆｉｅｒ）（これは、ネイバーリスト要請メッセージのＣＭｉｄｅｎｔｉｆｉｅｒと一致する。）のデータ値は、共存マネジャー（ＣＭ）Ａになり、ネイバーリストを獲得しようとする共存マネジャー（ＣＭ）がサービスする共存イネーブラ（ＣＥ）の識別子（ＣＥｉｄｅｎｔｉｆｉｅｒ）のデータ値は、共存イネーブラ（ＣＥ）Ａになる。
【０１３６】
そして、ＴＶチャネル番号（ＣｈａｎｎｅｌＮｕｍｂｅｒ）のデータ値は５になり、ＴＶＢＤＡｄｄｒｅｓｓが指示する共存イネーブラ（ＣＥ）Ａとネイバー関係にある共存イネーブラ（ＣＥ）の識別子（ＮｅｉｇｈｂｏｕｒＣＥ）のデータ値は、共存イネーブラ（ＣＥ）Ｂになる。
【０１３７】
図１２は、本明細書に開示された第２実施例に係るネイバー探索過程を示す概念図である。
【０１３８】
第２実施例において、共存マネジャー（ＣＭ）Ａは、図１０に示したチャネル情報を持つ共存イネーブラ（ＣＥ）Ａをサービスし、共存マネジャー（ＣＭ）Ｂは、図１０に示したチャネル情報を持つ共存イネーブラ（ＣＥ）Ｂをサービスするとする。
【０１３９】
共存マネジャー（ＣＭ）ＡはＣＤＩＳ  ４００にネイバーリストを要請することができる。ＣＤＩＳ  ４００は、各共存イネーブラ（ＣＥ）の位置情報（ｇｅｏｌｏｃａｔｉｏｎ）に基づいて干渉範囲（ｉｎｔｅｒｆｅｒｅｎｃｅ  ｒａｎｇｅ）を計算し、共存イネーブラ（ＣＥ）Ａと共存イネーブラ（ＣＥ）Ｂとがネイバー関係にあると判断することができる。
【０１４０】
再び図１０を参照すると、チャネル１乃至４では、共存イネーブラ（ＣＥ）Ａ及び共存イネーブラ（ＣＥ）Ｂの可用チャネル及びデバイスタイプが相互に異なっているため、干渉の有無にかかわらず、共存イネーブラ（ＣＥ）Ａ及び共存イネーブラ（ＣＥ）Ｂのそれぞれは、自身の可用チャネルのいずれか一つを選択して使用すればいい。
【０１４１】
しかし、チャネル５は、共存イネーブラ（ＣＥ）Ａ及び共存イネーブラ（ＣＥ）Ｂの両方に対して可用のチャネルであるから、ネイバー関係にあることとなる。共存イネーブラ（ＣＥ）Ａ及び共存イネーブラ（ＣＥ）Ｂが同時にチャネル５を使用すると、相互に干渉を受けたり与えたりするようになる。
【０１４２】
表６に、本明細書に開示された第２実施例に係るネイバー探索によるネイバーリスト応答メッセージのフレームの一例を示す。
【０１４３】
【表６】
0006021823.tif 000007
ネイバーリストを獲得しようとする共存マネジャー（ＣＭ）の識別子（ＣＭｉｄｅｎｔｉｆｉｅｒ）（これは、ネイバーリスト要請メッセージのＣＭｉｄｅｎｔｉｆｉｅｒと一致する。）のデータ値は、共存マネジャー（ＣＭ）Ａになり、ネイバーリストを獲得しようとする共存マネジャー（ＣＭ）がサービスする共存イネーブラ（ＣＥ）の識別子（ＣＥｉｄｅｎｔｉｆｉｅｒ）のデータ値は、共存イネーブラ（ＣＥ）Ａになる。
【０１４４】
そして、ＴＶチャネル番号（ＣｈａｎｎｅｌＮｕｍｂｅｒ）のデータ値は５になり、ＣＥｉｄｅｎｔｉｆｉｅｒが指示する共存イネーブラ（ＣＥ）Ａとネイバー関係にある共存イネーブラ（ＣＥ）の識別子（ＮｅｉｇｈｂｏｕｒＣＥ）のデータ値は、共存イネーブラ（ＣＥ）Ｂになり、ＣＭｉｄｅｎｔｉｆｉｅｒが指示する共存イネーブラ（ＣＥ）Ａとネイバー関係にある共存マネジャー（ＣＭ）の識別子（ＮｅｉｇｈｂｏｕｒＣＭ）のデータ値は、共存マネジャー（ＣＭ）Ｂになる。
【０１４５】
図１３は、本明細書に開示された実施例に係る共存マネジャー（ＣＭ）のリソース割当過程を示すフローチャートである。
【０１４６】
第１共存マネジャーＣＭ１は、ＣＤＩＳ  ４００に、第１共存マネジャーＣＭ１がサービスする第１ＴＶＢＤネットワーク又はデバイスのネイバーリストを要請する（Ｓ１１０）。ＣＤＩＳ  ４００は、第１共存マネジャーＣＭ１がサービスする第１ＴＶＢＤネットワーク又はデバイスのネイバーリストを計算し（Ｓ１２０）、計算されたネイバーリストを第１共存マネジャーＣＭ１に送信する（Ｓ１３０）。
【０１４７】
第１共存マネジャーＣＭ１は、ＣＤＩＳ  ４００から受信したネイバーリストに含まれた第２ＴＶＢＤネットワーク又はデバイスをサービスする第２共存マネジャーＣＭ２に情報を要請したり交渉をしたりして（Ｓ１４０）、第１共存マネジャーＣＭ１がサービスするＴＶＢＤネットワーク又はデバイスの運用チャネルを決定することができる（Ｓ１５０）。
【０１４８】
例えば、第１共存マネジャーＣＭ１は、第２共存マネジャーＣＭ２の第２ネットワーク又はデバイスに割り当てられた運用チャネルに関する情報を受信し、第１ネットワーク又はデバイスの可用チャネルのうち、第２ネットワーク又はデバイスに運用チャネルとして割り当てられなかったチャネルを、第１ネットワーク又はデバイスの運用チャネルとして割り当てることができる。
【０１４９】
図１４は、本明細書に開示された実施例に係るネイバーリストアップデート過程を示すフローチャートである。
【０１５０】
共存マネジャーＣＭ１がサービスする共存イネーブラ（ＣＥ）、ＴＶＢＤネットワーク又はデバイスの位置情報又は可用チャネルリストがアップデートされる場合に、共存マネジャーＣＭ１は、ＣＤＩＳ  ４００に、アップデートされた情報を含むネイバーリスト要請メッセージを伝送する（Ｓ２１０）。
【０１５１】
ＣＤＩＳ  ４００は、アップデートされた情報に基づいてネイバーリストを再び計算し（Ｓ２２０）、アップデートされたネイバーリストを共存マネジャーＣＭ１に伝送する（Ｓ２３０）。この場合、特定タイプを指定して、当該ネイバーリストが変更されたか否かを表すことができる。
【０１５２】
ＣＤＩＳ  ４００が複数の共存マネジャー（ＣＭ）をサービスする場合、特定の共存マネジャーＣＭ１の情報がアップデートされてネイバーリスト要請が受信されると、アップデートされた情報に基づいて新しく計算されたネイバー関係が、他の共存マネジャー（ＣＭ３）の共存イネーブラ（ＣＥ）、ＴＶＢＤネットワーク又はデバイスを含むことがある。この場合、ＣＤＩＳ  ４００は、特別な要請なしに、ネイバーリストが変更された共存マネジャー（ＣＭ）に、変更されたネイバー情報を伝送したり（ｕｎｓｏｌｉｃｉｔｅｄ  ｒｅｓｐｏｎｓｅ）（Ｓ２５０）、要請に応じて、変更されたネイバーリストを、当該共存マネジャー（ＣＭ３）に伝送したりできる（ａｎｎｏｕｎｃｅｍｅｎｔ）（Ｓ２４０及びＳ２５０）。
【０１５３】
図１５は、本明細書に開示された一実施例に係る共存マネジャー（ＣＭ）３００が、ＴＶＢＤネットワーク又はデバイス１００から、使用チャネル情報及び干渉レベル情報を受信する過程を説明するための図である。
【０１５４】
ＴＶＢＤネットワーク又はデバイス１００は、測定メッセージ（ｍｅａｓｕｒｅｍｅｎｔ  ｍｅｓｓａｇｅ）を用いて共存マネジャー（ＣＭ）３００に使用チャネル情報及び干渉レベル情報を送信することができる。この場合、ＴＶＢＤネットワーク又はデバイス１００は、共存マネジャー（ＣＭ）３００の要請に応じて測定フレームフォーマットを共存マネジャー（ＣＭ）３００に送信することができる。
【０１５５】
すなわち、共存マネジャー（ＣＭ）３００は共存イネーブラ（ＣＥ）２００に測定要請（ｍｅａｓｕｒｅｍｅｎｔ＿ｒｅｑｕｅｓｔ）を送信し（Ｓ３１２）、共存イネーブラ（ＣＥ）２００は、受信した測定要請を、ＴＶＢＤネットワーク又はデバイス１００に送信する（Ｓ３１４）。また、ＴＶＢＤネットワーク又はデバイス１００は、測定要請に応答して測定報告（ｍｅａｓｕｒｅｍｅｎｔ＿ｒｅｐｏｒｔ）を共存イネーブラ（ＣＥ）２００に送信し（Ｓ３１６）、共存イネーブラ（ＣＥ）２００は、受信した測定報告を共存マネジャー（ＣＭ）３００に送信する（Ｓ３１８）。
【０１５６】
図１６は、本明細書に開示された他の実施例に係る共存マネジャー（ＣＭ）３００が、ＴＶＢＤネットワーク又はデバイス１００から、使用チャネル情報及び干渉レベル情報を受信する過程を説明するための図である。
【０１５７】
ＴＶＢＤネットワーク又はデバイス１００は周期的に測定フレームフォーマットを共存マネジャー（ＣＭ）３００に送信してもよい。すなわち、ＴＶＢＤネットワーク又はデバイス１００は、共存イネーブラ（ＣＥ）２００に周期的に測定報告を送信し（Ｓ３２２）、共存イネーブラ（ＣＥ）２００は、受信した測定報告を、ＴＶＢＤネットワーク又はデバイス１００に送信する（Ｓ３２２）。
【０１５８】
測定要請（ｍｅａｓｕｒｅｍｅｎｔ  ｒｅｑｕｅｓｔ）フレームフォーマットを下記の表７のように定義することができる。
【０１５９】
【表７】
0006021823.tif 000008
共存フレームヘッダー（Ｃｏｅｘｉｓｔｅｎｃｅ  ｆｒａｍｅ  ｈｅａｄｅｒ）は、フレームを識別する。情報タイプ（Ｉｎｆｏｒｍａｔｉｏｎ  ｔｙｐｅ）フィールドの値は、例えば、３（ｍｅａｓｕｒｅｍｅｎｔ  ｒｅｑｕｅｓｔ）に設定される。測定要請エレメント（Ｍｅａｓｕｒｅｍｅｎｔ  ｒｅｑｕｅｓｔ  ｅｌｅｍｅｎｔｓ）フィールドは、１つ以上の測定要請エレメント（Ｍｅａｓｕｒｅｍｅｎｔ  ｒｅｑｕｅｓｔ  ｅｌｅｍｅｎｔ）を含むことができる。単一測定要請フレームにおいて測定要請エレメント（Ｍｅａｓｕｒｅｍｅｎｔ  ｒｅｑｕｅｓｔ  ｅｌｅｍｅｎｔｓ）の個数及び長さは、最大限に許容された共存プロトコルデータ単位（ＣＸＰＤＵ；Ｃｏｅｘｉｓｔｅｎｃｅ  Ｐｒｏｔｏｃｏｌ  Ｄａｔａ  Ｕｎｉｔ）サイズによって制限されるとよい。測定要請エレメント（Ｍｅａｓｕｒｅｍｅｎｔ  ｒｅｑｕｅｓｔ  ｅｌｅｍｅｎｔｓ）は、測定要請を受信するＴＶＢＤネットワーク又はデバイス１００の、指定された測定動作の実行要請を含むことができる。
【０１６０】
測定要請エレメント（Ｍｅａｓｕｒｅｍｅｎｔ  ｒｅｑｕｅｓｔ  ｅｌｅｍｅｎｔ）フレームフォーマットを下記の表８のように定義することができる。
【０１６１】
【表８】
0006021823.tif 000009
測定タイプ（Ｍｅａｓｕｒｅｍｅｎｔ  ｔｙｐｅ）フィールドを下記の表９のように定義することができる。
【０１６２】
【表９】
0006021823.tif 000010
測定要請エレメント（Ｍｅａｓｕｒｅｍｅｎｔ  ｒｅｑｕｅｓｔ  ｅｌｅｍｅｎｔ）において測定タイプ（Ｍｅａｓｕｒｅｍｅｎｔ  ｔｙｐｅ）が干渉レベル（Ｉｎｔｅｒｆｅｒｅｎｃｅ  Ｌｅｖｅｌ）を表すことができる。干渉レベル要請エレメント（Ｉｎｔｅｒｆｅｒｅｎｃｅ  Ｌｅｖｅｌ  ｒｅｑｕｅｓｔ  ｅｌｅｍｅｎｔ）に対応する測定要請（ｍｅａｓｕｒｅｍｅｎｔ  ｒｅｑｕｅｓｔ）フィールドを、下記の表１０のように定義することができる。
【０１６３】
【表１０】
0006021823.tif 000011
測定開始時間（Ｍｅａｓｕｒｅｍｅｎｔ  Ｓｔａｒｔ  Ｔｉｍｅ）フィールドは、要請された測定が始まる時間に設定される。０の値は、要請された測定が直ちに始まる旨を表す。測定遅延（Ｍｅａｓｕｒｅｍｅｎｔ  Ｄｕｒａｔｉｏｎ）フィールドは、時間単位（ＴＵｓ；Ｔｉｍｅ  Ｕｎｉｔｓ）で表現される要請された測定の遅延時間に設定される。ＴＶチャネル番号（ＴＶ  Ｃｈａｎｎｅｌ  Ｎｕｍｂｅｒｓ）は、測定要請が適用されるＴＶチャネル番号を表す。チャネル番号（Ｃｈａｎｎｅｌ  Ｎｕｍｂｅｒ）は、各国又は地域別に異なるように定義されるとよい。
【０１６４】
測定報告（ｍｅａｓｕｒｅｍｅｎｔ  ｒｅｐｏｒｔ）フレームフォーマットは、下記の表１１のように定義されてよい。
【０１６５】
【表１１】
0006021823.tif 000012
共存フレームヘッダー（Ｃｏｅｘｉｓｔｅｎｃｅ  ｆｒａｍｅ  ｈｅａｄｅｒ）は、フレームを識別する。測定報告の情報タイプ（Ｉｎｆｏｒｍａｔｉｏｎ  ｔｙｐｅ）フィールドの値は、例えば、４に設定される。測定報告エレメント（Ｍｅａｓｕｒｅｍｅｎｔ  ｒｅｐｏｒｔ  ｅｌｅｍｅｎｔｓ）フィールドは、一つ以上の測定報告エレメント（Ｍｅａｓｕｒｅｍｅｎｔ  ｒｅｐｏｒｔ  ｅｌｅｍｅｎｔ）を含むことができる。単一測定報告フレームにおいて測定報告エレメント（Ｍｅａｓｕｒｅｍｅｎｔ  ｒｅｐｏｒｔ  ｅｌｅｍｅｎｔｓ）の個数及び長さは、最大限に許容されたＣＸＰＤＵサイズによって制限されるとよい。
【０１６６】
測定報告エレメント（Ｍｅａｓｕｒｅｍｅｎｔ  ｒｅｐｏｒｔ  ｅｌｅｍｅｎｔｓ）フレームフォーマットを、下記の表１２のように定義することができる。
【０１６７】
【表１２】
0006021823.tif 000013
測定タイプ（Ｍｅａｓｕｒｅｍｅｎｔ  ｔｙｐｅ）フィールドは、前述の表３のように定義されてよい。測定報告エレメント（Ｍｅａｓｕｒｅｍｅｎｔ  ｒｅｐｏｒｔ  ｅｌｅｍｅｎｔ）において測定タイプ（Ｍｅａｓｕｒｅｍｅｎｔ  ｔｙｐｅ）が干渉レベル（Ｉｎｔｅｒｆｅｒｅｎｃｅ  Ｌｅｖｅｌ）を表すことができる。干渉レベル報告エレメント（Ｉｎｔｅｒｆｅｒｅｎｃｅ  Ｌｅｖｅｌ  ｒｅｐｏｒｔ  ｅｌｅｍｅｎｔ）に対応する測定報告（ｍｅａｓｕｒｅｍｅｎｔ  ｒｅｐｏｒｔ）フィールドを、下記の表１３のように定義することができる。
【０１６８】
【表１３】
0006021823.tif 000014
実質的な測定開始時間（Ａｃｔｕａｌ  Ｍｅａｓｕｒｅｍｅｎｔ  Ｓｔａｒｔ  Ｔｉｍｅ）フィールドは、ＴＶＢＤ測定が始まった時間に設定される。測定遅延（Ｍｅａｓｕｒｅｍｅｎｔ  Ｄｕｒａｔｉｏｎ）フィールドは、時間単位（ＴＵｓ；Ｔｉｍｅ  Ｕｎｉｔｓ）で表現されるＴＶＢＤ報告が測定される間の遅延時間に設定される。測定ＴＶＢＤアドレス（Ｍｅａｓｕｒｉｎｇ  ＴＶＢＤ  Ａｄｄｒｅｓｓ）は、実際に測定を行ったＴＶＢＤネットワーク又はデバイス１００のＭＡＣアドレス（ＭＡＣ  Ａｄｄｒｅｓｓ）に設定される。干渉レベル報告（Ｉｎｔｅｒｆｅｒｅｎｃｅ  Ｌｅｖｅｌ  Ｒｅｐｏｒｔ）フィールドは周期的に反復されてもよい。干渉レベル報告（Ｉｎｔｅｒｆｅｒｅｎｃｅ  Ｌｅｖｅｌ  Ｒｅｐｏｒｔ）フィールドは、検出されたＴＶＢＤネットワーク又はデバイス１００を表すことができる。
【０１６９】
測定報告エレメント（ｍｅａｓｕｒｅｍｅｎｔ  ｒｅｐｏｒｔ  ｅｌｅｍｅｎｔ）において測定タイプ（ｍｅａｓｕｒｅｍｅｎｔ  ｔｙｐｅ）は使用チャネル情報（Ｏｃｃｕｐｉｅｄ  Ｃｈａｎｎｅｌ  Ｉｎｆｏｒｍａｔｉｏｎ）を表すことができる。使用チャネル情報（Ｏｃｃｕｐｉｅｄ  Ｃｈａｎｎｅｌ  Ｉｎｆｏｒｍａｔｉｏｎ）に対応する測定報告（ｍｅａｓｕｒｅｍｅｎｔ  ｒｅｐｏｒｔ）フィールドを、下記の表１４のように定義することができる。
【０１７０】
【表１４】
0006021823.tif 000015
使用チャネル情報報告（Ｏｃｃｕｐｉｅｄ  Ｃｈａｎｎｅｌ  Ｉｎｆｏｒｍａｔｉｏｎ  Ｒｅｐｏｒｔ）を下記の表１５のように定義することができる。
【０１７１】
【表１５】
0006021823.tif 000016
実質的な測定開始時間（Ａｃｔｕａｌ  Ｍｅａｓｕｒｅｍｅｎｔ  Ｓｔａｒｔ  Ｔｉｍｅ）フィールドは、ＴＶＢＤ測定が始まった時間に設定される。測定遅延（Ｍｅａｓｕｒｅｍｅｎｔ  Ｄｕｒａｔｉｏｎ）フィールドは、時間単位（ＴＵｓ；Ｔｉｍｅ  Ｕｎｉｔｓ）で表現されるＴＶＢＤ報告が測定される間の遅延時間に設定される。チャネル番号（Ｃｈａｎｎｅｌ  Ｎｕｍｂｅｒ）は、ＴＶＢＤ使用者が使用するチャネル番号に設定されてよい。
【０１７２】
図１７は、本明細書に開示された一実施例に係る共存マネジャー（ＣＭ）３００がＴＶＢＤネットワーク又はデバイス１００のネイバーセットを発見する過程を説明するための図である。
【０１７３】
まず、ＣＤＩＳ  ４００は、ＴＶＢＤネットワーク、又はデバイス１００又は共存マネジャー（ＣＭ）３００から、ネイバー情報、タイミング情報、リソース情報、干渉レベルなどを受信して、ネイバーセット（ｎｅｉｇｈｂｏｒ  ｓｅｔ）を計算し、計算されたネイバーセットを共存マネジャー（ＣＭ）３００に伝達する（Ｓ４１０）。
【０１７４】
共存マネジャー（ＣＭ）３００は、ネイバー共存マネジャー（ＣＭ）３００’に、ネイバーセットを含むネイバーＴＶＢＤネットワーク又はデバイス１００’の使用チャネル情報の要請を送信する（Ｓ４２０）。共存マネジャー（ＣＭ）３００は、ネイバー共存マネジャー（ＣＭ）３００’から、ネイバーＴＶＢＤネットワーク又はデバイス１００’の使用チャネル情報を受信する（Ｓ４３０）。
【０１７５】
共存マネジャー（ＣＭ）３００は、ＴＶＢＤネットワーク又はデバイス１００の可用チャネルと、ネイバーＴＶＢＤネットワーク又はデバイス１００’の使用チャネルとを比較する。そして、共存マネジャー（ＣＭ）３００は、ＴＶＢＤネットワーク又はデバイス１００の可用チャネルに含まれたチャネルから、ネイバーＴＶＢＤネットワーク又はデバイス１００’の使用チャネルに含まれたチャネルを確認する（重複チャネルを計算）。そして、共存マネジャー（ＣＭ）３００は、ＴＶＢＤネットワーク又はデバイス１００の可用チャネルに含まれたチャネルのうち、ネイバーＴＶＢＤネットワーク又はデバイス１００’の使用チャネルに含まれたチャネルの優先順位と含まれていないチャネルの優先順位とを異ならせるチャネルテーブル（又は、優先順位テーブル）を生成する（Ｓ４４０）。
【０１７６】
ここで、ＴＶＢＤネットワーク又はデバイス１００の可用チャネルに含まれたチャネルのうち、ネイバーＴＶＢＤネットワーク又はデバイス１００’の使用チャネルに含まれたチャネルを、ネイバーＴＶＢＤネットワーク又はデバイス１００’の使用チャネルに含まれていないチャネルに比べて優先順位を低くすることができる。そして、チャネルテーブル（又は、優先順位テーブル）は、使用チャネル情報に基づくテーブルと、それぞれの共存マネジャー（ＣＭ）３００がサービスするＴＶＢＤネットワーク又はデバイス１００の数に基づくテーブルとに区別することができる。又は、これら２種のテーブルを組み合わせたテーブル設定にしてもよい。
【０１７７】
共存マネジャー（ＣＭ）３００は、生成されたチャネルテーブル（又は、優先順位テーブル）をＴＶＢＤネットワーク又はデバイス１００に伝達する（Ｓ４５０）。
【０１７８】
ネイバーセット発見過程で使用可能なネイバー発見情報（Ｎｅｉｇｈｂｏｒ  ｄｉｓｃｏｖｅｒｙ  ｉｎｆｏｒｍａｔｉｏｎ）フレームフォーマットは、下記の表１６のように定義することができる。
【０１７９】
【表１６】
0006021823.tif 000017
共存フレームヘッダー（Ｃｏｅｘｉｓｔｅｎｃｅ  ｆｒａｍｅ  ｈｅａｄｅｒ）は、フレームを識別する。情報タイプ（Ｉｎｆｏｒｍａｔｉｏｎ  ｔｙｐｅ）フィールドは、例えば、３（ｍｅａｓｕｒｅｍｅｎｔ  ｒｅｑｕｅｓｔ）に設定される。ネイバー発見情報エレメント（Ｎｅｉｇｈｂｏｒ  ｄｉｓｃｏｖｅｒｙ  ｉｎｆｏｒｍａｔｉｏｎ  ｅｌｅｍｅｎｔｓ）は、一つ以上のネイバー発見情報エレメント（Ｎｅｉｇｈｂｏｒ  ｄｉｓｃｏｖｅｒｙ  ｉｎｆｏｒｍａｔｉｏｎ  ｅｌｅｍｅｎｔ）を含む。単一ネイバー発見情報フレームにおいてネイバー発見情報エレメント（Ｎｅｉｇｈｂｏｒ  ｄｉｓｃｏｖｅｒｙ  ｉｎｆｏｒｍａｔｉｏｎ  ｅｌｅｍｅｎｔｓ）の個数及び長さは、最大限に許容されたＣＸＰＤＵサイズによって制限される。
【０１８０】
ネイバー発見情報エレメント（Ｎｅｉｇｈｂｏｒ  ｄｉｓｃｏｖｅｒｙ  ｉｎｆｏｒｍａｔｉｏｎ  ｅｌｅｍｅｎｔ）フォーマットを、下記の表１７のように定義することができる。
【０１８１】
【表１７】
0006021823.tif 000018
ネイバー発見情報（Ｎｅｉｇｈｂｏｒ  ｄｉｓｃｏｖｅｒｙ  ｉｎｆｏｒｍａｔｉｏｎ）フィールドを下記の表１８のように定義することができる。
【０１８２】
【表１８】
0006021823.tif 000019
ネイバー発見情報テーブルエレメント（Ｎｅｉｇｈｂｏｒ  ｄｉｓｃｏｖｅｒｙ  ｉｎｆｏｒｍａｔｉｏｎ  ｔａｂｌｅ  ｅｌｅｍｅｎｔ）は、使用チャネル情報を表すことができる。ネイバー発見情報要請エレメント（Ｎｅｉｇｈｂｏｒ  ｄｉｓｃｏｖｅｒｙ  ｉｎｆｏｒｍａｔｉｏｎ  ｒｅｑｕｅｓｔ  ｅｌｅｍｅｎｔ）に対応するネイバー発見情報（Ｎｅｉｇｈｂｏｒ  ｄｉｓｃｏｖｅｒｙ  ｉｎｆｏｒｍａｔｉｏｎ）フィールドは、下記の表１９のように定義することができる。
【０１８３】
【表１９】
0006021823.tif 000020
ＴＶチャネル番号（ＴＶ  Ｃｈａｎｎｅｌ  Ｎｕｍｂｅｒｓ）は、ネイバー発見情報要請（ｎｅｉｇｈｂｏｒ  ｄｉｓｃｏｖｅｒｙ  ｉｎｆｏｒｍａｔｉｏｎ  ｒｅｑｕｅｓｔ）が適用されるＴＶチャネル番号を表す。チャネル番号（Ｃｈａｎｎｅｌ  Ｎｕｍｂｅｒ）は、各国又は地域別に異なるように定義される。
【０１８４】
ネイバー発見情報要請エレメント（Ｎｅｉｇｈｂｏｒ  ｄｉｓｃｏｖｅｒｙ  ｉｎｆｏｒｍａｔｉｏｎ  ｒｅｑｕｅｓｔ  ｅｌｅｍｅｎｔ）は、ネイバー共存マネジャー（ＣＭ）３００（又は、ネイバーＴＶＢＤネットワーク又はデバイス１００）の使用チャネル情報を表すことができる。ネイバー発見情報要請エレメント（Ｎｅｉｇｈｂｏｒ  ｄｉｓｃｏｖｅｒｙ  ｉｎｆｏｒｍａｔｉｏｎ  ｒｅｑｕｅｓｔ  ｅｌｅｍｅｎｔ）に対応するネイバー発見要請エレメント（Ｎｅｉｇｈｂｏｒ  ｄｉｓｃｏｖｅｒｙ  ｒｅｑｕｅｓｔ  ｅｌｅｍｅｎｔ）フィールドを、下記の表２０のように定義することができる。
【０１８５】
【表２０】
0006021823.tif 000021
図１８は、本明細書に開示された一実施例に係るＴＶＢＤネットワーク又はデバイス１００、又は共存マネジャー（ＣＭ）３００のサービス切替過程を示す図である。
【０１８６】
共存システムにおいて２種類のサービスが提供されることが可能である。その第１サービス（管理サービス；ｍａｎａｇｅｍｅｎｔ  ｓｅｒｖｉｃｅ）は、ネイバー情報、タイミング情報、リソース情報、干渉レベル情報などの種々の情報に基づいて、共存マネジャー（ＣＭ）３００がＴＶＢＤネットワーク又はデバイス１００の可用チャネルを決定し、決定された可用チャネル情報をＴＶＢＤネットワーク又はデバイス１００に伝達及び管理するサービスでよい。
【０１８７】
その第２サービス（発見／情報サービス；ｄｉｓｃｏｖｅｒｙ／ｉｎｆｏｒｍａｔｉｏｎ  ｓｅｒｖｉｃｅ）は、ＴＶＢＤネットワーク又はデバイス１００が、ＣＤＩＳ  ４００からネイバーセットを受信し、且つＴＶＷＳデータベース６００から可用チャネルリストを受信して、ＴＶＢＤネットワーク又はデバイス１００が可用チャネルを決定するサービスでよい。第１サービスと第２サービスとの切替は、ＴＶＢＤネットワーク又はデバイス１００、又は共存マネジャー（ＣＭ）３００により行われうる。また、ＴＶＢＤネットワーク又はデバイス１００は、共存マネジャー（ＣＭ）３００からサービス情報を受信し、受信したサービス情報に基づいて、第１サービス又は第２サービスのいずれかを共存システムのサービスとして選択することができる。
【０１８８】
ＴＶＢＤネットワーク又はデバイス１００は、共存マネジャー（ＣＭ）３００から受信した可用チャネル情報に基づいて、サービスを切り替えるか否かを決定することができる。ＴＶＢＤネットワーク又はデバイス１００は、必要とする可用チャネルがない時（例えば、隣接した複数のチャネルを組み合わせても充分のサイズのチャネルを確保できない時）、第１サービスから第２サービスに切り替わるように決定すればよい。この場合、ＴＶＢＤネットワーク又はデバイス１００は共存イネーブラ（ＣＥ）２００にサービス変更要請を伝達し（Ｓ５１２）、共存イネーブラ（ＣＥ）２００は共存マネジャー（ＣＭ）３００にサービス変更要請を送信する（Ｓ５１４）。共存マネジャー（ＣＭ）３００は、サービス変更要請に応答して第１サービス情報（Ｃ−ＭＡＰ）又は第２サービス情報（ＴＶＢＤネイバー情報）を共存イネーブラ（ＣＥ）２００に送信し（Ｓ５１６）、共存イネーブラ（ＣＥ）２００は、受信したサービス情報をＴＶＢＤネットワーク又はデバイス１００に伝達する（Ｓ５１８）。
【０１８９】
図１９は、本明細書に開示された他の実施例に係るＴＶＢＤネットワーク又はデバイス１００、又は共存マネジャー（ＣＭ）３００のサービス切替過程を示す図である。
【０１９０】
共存マネジャー（ＣＭ）３００は、ＣＤＩＳ／ＣＤＢ  ４００、及びＴＶＢＤネットワーク又はデバイス１００から受信したネイバー情報、タイミング情報、リソース情報、干渉レベル情報などの種々の情報に基づいて、サービス切替命令（Ｓｅｒｖｉｃｅ＿ｓｗｉｔｃｈ＿ｃｏｍｍａｎｄ）を生成し（Ｓ５２２）、生成されたサービス切替命令を共存イネーブラ（ＣＥ）２００に送信し（Ｓ５２４）、共存イネーブラ（ＣＥ）２００は、受信したサービス切替命令をＴＶＢＤネットワーク又はデバイス１００に伝達する（Ｓ５２６）。
【０１９１】
サービス変更要請（Ｓｅｒｖｉｃｅ  Ｃｈａｎｇｉｎｇ  Ｒｅｑｕｅｓｔ）フレームフォーマットを、下記の表２１のように定義することができる。
【０１９２】
【表２１】
0006021823.tif 000022
共存ヘッダー（Ｃｏｅｘｓｉｔｅｎｃｅ  ｈｅａｄｅｒ）は、フレームを識別する。情報タイプ（Ｉｎｆｏｒｍａｔｉｏｎ  Ｔｙｐｅ）フィールドは、サービス変更要請（Ｓｅｒｖｉｃｅ  Ｃｈａｎｇｉｎｇ  Ｒｅｑｕｅｓｔ）フレームを表す９（Ｓｅｒｖｉｃｅ  Ｃｈａｎｇｉｎｇ  Ｒｅｑｕｅｓｔ  ｆｒａｍｅ）に設定されてよい。サービス変更要請エレメントフォーマット（Ｓｅｒｖｉｃｅ  Ｃｈａｎｇｉｎｇ  Ｒｅｑｕｅｓｔ  ｅｌｅｍｅｎｔｆｏｒｍａｔ）は、下記の表２２のように定義される。
【０１９３】
【表２２】
0006021823.tif 000023
命令タイプ（Ｃｏｍｍａｎｄ  Ｔｙｐｅ）フィールドは、下記の表２３のように定義される。
【０１９４】
【表２３】
0006021823.tif 000024
サービス変更命令要請エレメント（Ｓｅｒｖｉｃｅ  Ｃｈａｎｇｉｎｇ  Ｃｏｍｍａｎｄ  Ｒｅｑｕｅｓｔ  ｅｌｅｍｅｎｔ）において、命令タイプ（Ｃｏｍｍａｎｄ  Ｔｙｐｅ）はサービス変更（ｓｅｒｖｉｃｅ  ｃｈａｎｇｉｎｇ）を表すことができる。サービス変更命令要請エレメント（Ｓｅｒｖｉｃｅ  ｃｈａｎｇｉｎｇ  ｃｏｍｍａｎｄ  ｒｅｑｕｅｓｔ  ｅｌｅｍｅｎｔ）に対応するサービス変更要請フィールド（Ｓｅｒｖｉｃｅ  Ｃｈａｎｇｉｎｇ  ｒｅｑｕｅｓｔ  ｆｉｅｌｄ）は、下記の表２４のように定義することができる。
【０１９５】
【表２４】
0006021823.tif 000025
長さ（Ｌｅｎｇｔｈ）は、サービスタイプ（Ｓｅｒｖｉｃｅ  Ｔｙｐｅ）フィールドの長さ（Ｌｅｎｇｔｈ）値に依存する可変値である。
【０１９６】
サービス変更応答（Ｓｅｒｖｉｃｅ  Ｃｈａｎｇｉｎｇ  Ｒｅｓｐｏｎｅ）フレームフォーマットを下記の表２５のように定義することができる。
【０１９７】
【表２５】
0006021823.tif 000026
共存ヘッダー（Ｃｏｅｘｉｓｔｅｎｃｅ  ｈｅａｄｅｒ）は、フレームを識別する。情報タイプ（Ｉｎｆｏｒｍａｔｉｏｎ  Ｔｙｐｅ）フィールドは、サービス変更応答（Ｓｅｒｖｉｃｅ  Ｃｈａｎｇｉｎｇ  Ｒｅｓｐｏｎｓｅ）フレームを表す１０（Ｓｅｒｖｉｃｅ  Ｃｈａｎｇｉｎｇ  Ｒｅｓｐｏｎｓｅ  ｆｒａｍｅ）に設定される。サービス変更応答エレメント（Ｓｅｒｖｉｃｅ  Ｃｈａｎｇｉｎｇ  Ｒｅｓｐｏｎｓｅ  ｅｌｅｍｅｎｔ）フォーマットは、下記の表２６のように定義される。
【０１９８】
【表２６】
0006021823.tif 000027
命令タイプ（Ｃｏｍｍａｎｄ  Ｔｙｐｅ）フィールドは、前述した表２３のように定義される。
【０１９９】
サービス変更命令応答エレメント（Ｓｅｒｖｉｃｅ  Ｃｈａｎｇｉｎｇ  Ｃｏｍｍａｎｄ  ｒｅｓｐｏｎｓｅ  ｅｌｅｍｅｎｔ）において、命令タイプ（Ｃｏｍｍａｎｄ  Ｔｙｐｅ）はサービス変更（ｓｅｒｖｉｃｅ  ｃｈａｎｇｉｎｇ）を表すことができる。サービス変更命令応答エレメント（Ｓｅｒｖｉｃｅ  ｃｈａｎｇｉｎｇ  ｃｏｍｍａｎｄ  ｒｅｓｐｏｎｓｅ  ｅｌｅｍｅｎｔ）に対応するサービス変更応答フィールド（Ｓｅｒｖｉｃｅ  Ｃｈａｎｇｉｎｇ  ｒｅｓｐｏｎｓｅ  ｆｉｅｌｄ）は、下記の表２７のように定義することができる。
【０２００】
【表２７】
0006021823.tif 000028
状態コード（Ｓｔａｔｕｓ  Ｃｏｄｅ）フィールドは、要請された動作の成功又は失敗を表す。状態コード（Ｓｔａｔｕｓ  Ｃｏｄｅ）フィールドの長さは１でよい。割り当てられた状態コード（Ｓｔａｔｕｓ  ｃｏｄｅ）は、下記の表２８のように定義することができる。
【０２０１】
【表２８】
0006021823.tif 000029
図２０は、本明細書に開示された他の実施例に係るＴＶＢＤネットワーク又はデバイス１００のサービス選択過程を示す図である。
【０２０２】
共存マネジャー（ＣＭ）３００は、第１サービスのためのＣ−ＭＡＰ（Ｃｏｅｘｉｓｔｅｎｃｅ  ＭＡＰ）と第２サービスのためのネイバー情報を共存イネーブラ（ＣＥ）２００に送信し（Ｓ５３２）、共存イネーブラ（ＣＥ）２００は、受信したネイバー情報をＴＶＢＤネットワーク又はデバイス１００に伝達する（Ｓ５３４）。ＴＶＢＤネットワーク又はデバイス１００は、受信したネイバー情報に基づいて、サービスを選択する。
【０２０３】
サービス切替（ｓｅｒｖｉｃｅ  ｓｗｉｔｃｈｉｎｇ）フレームフォーマットは、下記の表２９のように定義される。
【０２０４】
【表２９】
0006021823.tif 000030
共存フレームヘッダー（Ｃｏｅｘｉｓｔｅｎｃｅ  ｆｒａｍｅ  ｈｅａｄｅｒ）は、フレームを識別する。情報タイプ（Ｉｎｆｏｒｍａｔｉｏｎ  ｔｙｐｅ）フィールドの値は３（Ｓｅｒｖｉｃｅ  Ｓｗｉｔｃｈｉｎｇ  ｒｅｑｕｅｓｔ）に設定される。情報切替エレメント（Ｓｅｒｖｉｃｅ  Ｓｗｉｔｃｈｉｎｇ  ｒｅｑｕｅｓｔ  ｅｌｅｍｅｎｔｓ）フィールドは、一つ以上のサービス切替要請エレメント（Ｓｅｒｖｉｃｅ  Ｓｗｉｔｃｈｉｎｇ  ｒｅｑｕｅｓｔ  ｅｌｅｍｅｎｔｓ）を含むことができる。単一測定要請フレームにおいてサービス切替要請エレメント（Ｓｅｒｖｉｃｅ  Ｓｗｉｔｃｈｉｎｇ  ｒｅｑｕｅｓｔ  ｅｌｅｍｅｎｔｓ）の個数及び長さは、最大限に許容されたＣＸＰＤＵサイズによって制限されるとよい。サービス切替要請エレメント（Ｓｅｒｖｉｃｅ  Ｓｗｉｔｃｈｉｎｇ  ｒｅｑｕｅｓｔ  ｅｌｅｍｅｎｔ）は、サービス切替要請を受信するＴＶＢＤネットワーク又はデバイス１００の、指定されたサービス切替動作の実行要請を含むことができる。
【０２０５】
サービス切替要請エレメント（Ｓｅｒｖｉｃｅ  Ｓｗｉｔｃｈｉｎｇ  ｒｅｑｕｅｓｔ  ｅｌｅｍｅｎｔ）フォーマットは、下記の表３０のように定義することができる。
【０２０６】
【表３０】
0006021823.tif 000031
サービスタイプ（Ｓｅｒｖｉｃｅ  ｔｙｐｅ）フィールドは、下記の表３１のように定義することができる。
【０２０７】
【表３１】
0006021823.tif 000032
サービスタイプ（Ｓｅｒｖｉｃｅ  ｔｙｐｅ）フィールドは、下記の表２７のように定義することができる。
【０２０８】
【表３２】
0006021823.tif 000033
管理サービスサブ−エレメント（Ｍａｎａｇｅｍｅｎｔ  ｓｅｒｖｉｃｅ  ｓｕｂ−ｅｌｅｍｅｎｔ）フィールドは、下記の表３３のように定義することができる。
【０２０９】
【表３３】
0006021823.tif 000034
発見／情報サービスサブ−エレメント（Ｄｉｓｃｏｖｅｒｙ／Ｉｎｆｏｒｍａｔｉｏｎ  ｓｅｒｖｉｃｅ  ｓｕｂ−ｅｌｅｍｅｎｔ）フィールドは、下記の表３４のように定義することができる。
【０２１０】
【表３４】
0006021823.tif 000035
サービス切替要請エレメント（Ｓｅｒｖｉｃｅ  Ｓｗｉｔｃｈｉｎｇ  Ｒｅｑｕｅｓｔ  ｅｌｅｍｅｎｔ）フィールドは、下記の表３５のように定義することができる。
【０２１１】
【表３５】
0006021823.tif 000036
図２１の（ａ）は、本明細書に開示された一実施例に係る共存サービス変更要請のサービスプリミティブのセマンティックス（ｓｅｍａｎｔｉｃｓ）を示す図である。
【０２１２】
ＣＯＥＸ＿Ｓｅｒｖｉｃｅｃｈａｎｇｉｎｇ．ｒｅｑｕｅｓｔは、サービスタイプを変更するためにＣＯＥＸ使用者により使われる。ＣＯＥＸ＿Ｓｅｒｖｉｃｅｃｈａｎｇｉｎｇ．ｒｅｑｕｅｓｔのパラメータは、下記の表３６のように定義される。
【０２１３】
【表３６】
0006021823.tif 000037
ＣＯＥＸ＿Ｓｅｒｖｉｃｅｃｈａｎｇｉｎｇ．ｒｅｑｕｅｓｔは、サービスタイプを変更するために、共存（ＣＯＥＸ）使用者により生成される。要請のあて先がローカル共存（ＣＯＥＸ）エンティティ自身である場合に、ローカル共存（ＣＯＥＸ）エンティティは、ＣＯＥＸ＿Ｓｅｒｖｉｃｅｃｈａｎｇｉｎｇ．ｃｏｎｆｉｒｍで応答する。要請のあて先がリモート共存（ＣＯＥＸ）エンティティである場合に、ローカル共存（ＣＯＥＸ）エンティティは、リモート共存（ＣＯＥＸ）エンティティに対応するＳｅｒｖｉｃｅｃｈａｎｇｉｎｇ  Ｒｅｑｕｅｓｔメッセージを生成することができる。
【０２１４】
図２１の（ｂ）は、本明細書に開示された一実施例に係る共存サービス変更報知のサービスプリミティブのセマンティックスを示す図である。
【０２１５】
ＣＯＥＸ＿Ｓｅｒｖｉｃｅｃｈａｎｇｉｎｇ．ｉｎｄｉｃａｔｉｏｎは、共存（ＣＯＥＸ）使用者に同等な（ｐｅｅｒ）共存（ＣＯＥＸ）エンティティからのサービス変更報告（Ｓｅｒｖｉｃｅ  ｃｈａｎｇｉｎｇ  Ｒｅｑｕｅｓｔ）メッセージの受信を知らせるために、共存（ＣＯＥＸ）エンティティにより用いられる。ＣＯＥＸ＿Ｓｅｒｖｉｃｅｃｈａｎｇｉｎｇ．ｉｎｄｉｃａｔｉｏｎのパラメータは、下記の表３７のように定義される。
【０２１６】
【表３７】
0006021823.tif 000038
ＣＯＥＸ＿Ｓｅｒｖｉｃｅｃｈａｎｇｉｎｇ．ｒｅｑｕｅｓｔメッセージが受信される時、共存（ＣＯＥＸ）使用者に知らせるために共存（ＣＯＥＸ）エンティティにより使用される。共存（ＣＯＥＸ）使用者は、インディケーション（ｉｎｄｉｃａｔｉｏｎ）が受信されると、ＣＯＥＸ＿ｓｅｒｖｉｃｅｃｈａｎｇｉｎｇ．ｒｅｐｏｎｓｅ  ｐｒｉｍｉｔｉｖｅで応答する。
【０２１７】
図２１の（ｃ）は、本明細書に開示された一実施例に係る共存サービス変更応答のサービスプリミティブのセマンティックスを示す図である。
【０２１８】
ＣＯＥＸ＿Ｓｅｒｖｉｃｅｃｈａｎｇｉｎｇ．ｒｅｓｐｏｎｓｅは、サービス変更要請（Ｓｅｒｖｉｃｅｃｈａｎｇｉｎｇ  ｒｅｑｕｅｓｔ）を呼び出した共存（ＣＯＥＸ）使用者に、ローカルサービス変更情報（ｓｅｒｖｉｃｅｃｈａｎｇｉｎｇ  ｉｎｆｏｒｍａｔｉｏｎ）を伝達するために共存（ＣＯＥＸ）使用者により使用される。ＣＯＥＸ＿Ｓｅｒｖｉｃｅｃｈａｎｇｉｎｇ．ｒｅｓｐｏｎｓｅのパラメータは、下記の表３８のように定義される。
【０２１９】
【表３８】
0006021823.tif 000039
これは、受信されたＣＯＥＸ＿Ｓｅｒｖｉｃｅｃｈａｎｇｉｎｇ．ｉｎｄｉｃａｔｉｏｎに対する応答として共存（ＣＯＥＸ）使用者により使用される。共存（ＣＯＥＸ）エンティティは応答（ｒｅｓｐｏｎｓｅ）を受信すると、対応するＣＯＥＸ＿ｓｅｒｖｉｃｅｃｈａｎｇｉｎｇ．ｒｅｐｏｒｔメッセージを生成してあて先ＣＯＥＸエンティティに送信すればよい。
【０２２０】
図２１の（ｄ）は、本明細書に開示された一実施例に係る共存サービス変更確認のサービスプリミティブのセマンティックスを示す図である。
【０２２１】
ＣＯＥＸ＿Ｓｅｒｖｉｃｅｃｈａｎｇｉｎｇ．ｃｏｎｆｉｒｍは、サービス変更要請（Ｓｅｒｖｉｃｅｃｈａｎｇｉｎｇ  ｒｅｑｕｅｓｔ）を呼び出した共存（ＣＯＥＸ）使用者にサービス変更情報（ｓｅｒｖｉｃｅｃｈａｎｇｉｎｇ  ｉｎｆｏｒｍａｔｉｏｎ）を伝達するために、共存（ＣＯＥＸ）エンティティにより使用される。ＣＯＥＸ＿Ｓｅｒｖｉｃｅｃｈａｎｇｉｎｇ．ｃｏｎｆｉｒｍのパラメータは、下記の表３９のように定義される。
【０２２２】
【表３９】
0006021823.tif 000040
これは、以前の共存（ＣＯＥＸ）使用者からのＣＯＥＸ＿Ｓｅｒｖｉｃｅｃｈａｎｇｉｎｇ．ｒｅｑｕｅｓｔプリミティブの結果を伝達するために、ローカル共存（ＣＯＥＸ）エンティティにより呼び出される。共存（ＣＯＥＸ）使用者は、このプリミティブを受信すると、適切な決定をし、適切な動作を行う。しかし、ＲｅｓｕｌｔｓＣｏｄｅが「成功」（「Ｓｕｃｃｅｓｓ」）を表さないと、受信者は適切な誤り処理（ｅｒｒｏｒ  ｈａｎｄｌｉｎｇ）を行う。
【０２２３】
図２２は、本明細書に開示された実施例に係る共存マネジャー（ＣＭ）３００のサービス切替過程を示す図である。
【０２２４】
まず、ＴＶＢＤネットワーク又はデバイス１００、及びネイバーＴＶＢＤネットワーク又はデバイス１００は、共存マネジャー（ＣＭ）３００及びＣＤＩＳ／ＣＤＢ  ４００に登録する。また、共存マネジャー（ＣＭ）３００及びネイバー共存マネジャー３００は、ＣＤＩＳ／ＣＤＢ  ４００に登録する。
【０２２５】
共存マネジャー（ＣＭ）３００及びＣＤＩＳ／ＣＤＢ  ４００に登録されたＴＶＢＤネットワーク又はデバイス１００は、前述したように、共存マネジャー（ＣＭ）３００に周期的に又は共存マネジャー（ＣＭ）３００の要請に応じて測定報告（ｍｅａｓｕｒｅｍｅｎｔ  ｒｅｐｏｒｔ）を送信する（Ｓ６１２）。また、ネイバー共存マネジャー（ＣＭ）３００及びネイバーＴＶＢＤネットワーク又はデバイス１００は、前述したように、ネイバー共存マネジャー（ＣＭ）３００に周期的に又はネイバー共存マネジャー（ＣＭ）３００の要請に応じて測定報告（ｍｅａｓｕｒｅｍｅｎｔ  ｒｅｐｏｒｔ）を送信する（Ｓ６１４）。
【０２２６】
上記測定報告は、ＴＶＢＤネットワーク又はデバイス１００の使用チャネル情報及び干渉レベル情報を含むことができる。測定報告がＴＶＢＤネットワーク又はデバイス１００の干渉レベル情報をも含む方が、既存のＣＤＩＳ／ＣＤＢ  ４００がＴＶＢＤネットワーク又はデバイス１００の使用チャネル情報のみを用いてネイバーセットを計算することに比べてより正確にネイバーセットを計算することができる。
【０２２７】
そして、ＴＶＢＤネットワーク又はデバイス１００は、リソース割当が要求されるとき、共存マネジャー（ＣＭ）３００にリソース割当を要請することができる（Ｓ６２２）。この場合、ＴＶＢＤネットワーク又はデバイス１００は、ＴＶＷＳデータベース６００から可用チャネル情報を受信して共存マネジャー（ＣＭ）３００に送信することができる。共存マネジャー（ＣＭ）３００は、ＴＶＢＤネットワーク又はデバイス１００からリソース割当要請がある場合、ＣＤＩＳ／ＣＤＢ  ４００にネイバーセットを要請する（Ｓ６２４）。
【０２２８】
ここで、ネイバーセットは、ＴＶＢＤネットワーク又はデバイス１００のネイバーＴＶＢＤネットワーク又はデバイス１００、及びネイバーＴＶＢＤネットワーク又はデバイス１００をサービスするネイバー共存マネジャー（ＣＭ）３００に関する情報を含むことができる。ＣＤＩＳ／ＣＤＢ  ４００は、ＣＤＩＳ  ４００に登録された各ＴＶＢＤネットワーク又はデバイス１００の地理的位置情報（又は、地理的位置情報及び可用チャネル情報）に基づいてネイバーセットを計算すればよい（Ｓ６２６）。共存マネジャー（ＣＭ）３００は、計算されたネイバーセットをＣＤＩＳ／ＣＤＢ  ４００から受信することができる（Ｓ６２８）。
【０２２９】
共存マネジャー（ＣＭ）３００は、ネイバーセットに基づいて、ネイバー共存マネジャー（ＣＭ）３００に、ネイバーＴＶＢＤネットワーク又はデバイス１００の使用チャネル情報を要請することができる（Ｓ６３２）。この場合、共存マネジャー（ＣＭ）３００は、ネイバー共存マネジャー（ＣＭ）３００に、ＴＶＢＤネットワーク又はデバイス１００のネイバーネットワーク又はＴＶＢＤデバイス１００に関する情報を送信することができる。
【０２３０】
ネイバー共存マネジャー（ＣＭ）３００は、ネイバーＴＶＢＤネットワーク又はデバイス１００から受信した測定報告に基づいて、共存マネジャー（ＣＭ）３００にネイバーＴＶＢＤネットワーク又はデバイス１００の使用チャネル情報を送信することができる（Ｓ６３４）。
【０２３１】
共存マネジャー（ＣＭ）３００は、ＴＶＢＤネットワーク又はデバイス１００の可用チャネル情報、及びネイバー共存マネジャー（ＣＭ）３００から受信したネイバーＴＶＢＤネットワーク又はデバイス１００の使用チャネル情報に基づいて、優先順位テーブルを生成することができる（Ｓ６３６）。ＴＶＢＤネットワーク又はデバイス１００の可用チャネル情報は、ＴＶＢＤネットワーク又はデバイス１００がＴＶＷＳデータベース６００から受信して共存マネジャー（ＣＭ）３００に伝達してもよく、共存マネジャー（ＣＭ）３００がＴＶＷＳデータベース６００から受信してもよく、ＣＤＩＳ／ＣＤＢ  ４００がＴＶＷＳデータベース６００から受信して共存マネジャー（ＣＭ）３００に伝達してもよい。
【０２３２】
そして、共存マネジャー（ＣＭ）３００は、生成した優先順位テーブルを、ＴＶＢＤネットワーク又はデバイス１００に送信することができる（Ｓ６３８）。共存マネジャー（ＣＭ）３００がネイバー共存マネジャー（ＣＭ）３００からネイバーＴＶＢＤネットワーク又はデバイス１００の使用チャネル情報を受信することは、ＴＶＢＤネットワーク又はデバイス１００の実質的な可用チャネルを判断するためである。
【０２３３】
ＴＶＢＤネットワーク又はデバイス１００は、共存マネジャー（ＣＭ）３００から受信した優先順位テーブルに基づいて、サービスを切り替える否かを判断する（Ｓ６４２）。すなわち、ＴＶＢＤネットワーク又はデバイス１００の可用チャネルに含まれたチャネルのうち、所望のチャネルがあるか確認し、ＴＶＢＤネットワーク又はデバイス１００は、所望のチャネルがない場合、サービスを切り替えるように決定する。
【０２３４】
この場合、ＴＶＢＤネットワーク又はデバイス１００は、共存マネジャー（ＣＭ）３００にサービス切替を要請する（Ｓ６４４）。共存マネジャー（ＣＭ）３００は、ＴＶＢＤネットワーク又はデバイス１００からの要請に応答してサービスを切り替える（Ｓ６４６）。この場合、共存マネジャー（ＣＭ）３００は、ＴＶＢＤネットワーク又はデバイス１００にネイバーセットを送信することができる。ＴＶＢＤネットワーク又はデバイス１００は、所望のチャネルを確保するために、共存マネジャー（ＣＭ）３００から受信したネイバーセットに基づいて、ネイバー共存マネジャー（ＣＭ）３００と可用チャネルについて交渉することができる。
【０２３５】
図２３は、本明細書に開示されたＴＶＢＤネットワーク又はデバイス１００のブロック図である。
【０２３６】
図２３に示すように、ＴＶＢＤネットワーク又はデバイス１００は、記憶手段１１０、コントローラ１２０、及び送受信部１３０を備えている。
【０２３７】
記憶手段１１０は、図１乃至図２２に示した実施例に係る方法を記憶する。
【０２３８】
コントローラ１２０は、記憶手段１１０及び送受信部１３０を制御する。具体的に、コントローラ１２０は、記憶手段１１０に記憶された方法をそれぞれ実行させる。そして、コントローラ１２０は、送受信部１３０を介して前述の信号を送受信する。
【０２３９】
以上では、本発明の好適な実施例について説明してきたが、本発明の範囲はそれらの特定実施例に限定されるものではない。したがって、本発明は、本発明の思想及び特許請求の範囲に記載された範ちゅう内で種々の形態に修正、変更、又は改善され得ることは明らかである。
【図１】
0006021823.tif 000041
【図２】
0006021823.tif 000042
【図３】
0006021823.tif 000043
【図４】
0006021823.tif 000044
【図５】
0006021823.tif 000045
【図６】
0006021823.tif 000046
【図７】
0006021823.tif 000047
【図８】
0006021823.tif 000048
【図９】
0006021823.tif 000049
【図１０】
0006021823.tif 000050
【図１１】
0006021823.tif 000051
【図１２】
0006021823.tif 000052
【図１３】
0006021823.tif 000053
【図１４】
0006021823.tif 000054
【図１５】
0006021823.tif 000055
【図１６】
0006021823.tif 000056
【図１７】
0006021823.tif 000057
【図１８】
0006021823.tif 000058
【図１９】
0006021823.tif 000059
【図２０】
0006021823.tif 000060
【図２１】
0006021823.tif 000061
【図２２】
0006021823.tif 000062
【図２３】
0006021823.tif 000063